(57)【要約】  無線局（２）は、所定の条件が満たされる場合に、ＮＡＳメッセージ若しくはＲＲＣメッセージ又はこれら両方を含むＣＰメッセージを、第２のセル（２３、２４）において無線端末（１）に送信又は無線端末（１）から受信する。第２のセル（２３、２４）は、第１のセルと異なるＲＡＴを使用し、第１のセルに追加して従属的に使用される。所定の条件は、（ａ）ＣＰメッセージのコンテンツ又は種別、（ｂ）ＣＰメッセージの送信に使用されるシグナリング無線ベアラの種別、（ｃ）ＣＰメッセージの送信要因、及び（ｄ）ＮＡＳメッセージに関連付けられたコアネットワークの種別、のうち少なくとも１つに関する。これにより、例えば、２つの異なるＲａｄｉｏ  Ａｃｃｅｓｓ  Ｔｅｃｈｎｏｌｏｇｙ（ＲＡＴ）のインターワーキングを提供する無線アーキテクチャにおいて、コントロール・プレーン（ＣＰ）・メッセージの送信を効果的に行うことに寄与できる。
2017119247.tif 000002
【特許請求の範囲】
【請求項１】
１又は複数の無線局を備え、
前記１又は複数の無線局は、
第１の無線アクセス技術に従う１又は複数の第１のセルと、前記１又は複数の第１のセルに追加して従属的に使用される第２の無線アクセス技術に従う１又は複数の第２のセルを、同時に１つの無線端末に提供するよう構成され、且つ
所定の条件が満たされる場合に、コントロール・プレーン・メッセージを前記１又は複数の第２のセルにおいて前記無線端末に送信又は前記無線端末から受信するよう構成され、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
無線局システム。
【請求項２】
前記所定の条件は、前記コントロール・プレーン・メッセージのコンテンツ又は種別に関し、
前記１又は複数の無線局は、前記コントロール・プレーン・メッセージが前記１又は複数の第２のセルに関する端末測定の前記無線端末への要求又は前記１又は複数の第２のセルに関する前記無線端末からの測定結果の報告を含む場合に、前記コントロール・プレーン・メッセージを前記１又は複数の第２のセルにおいて送信又は受信するよう構成されている、
請求項１に記載の無線局システム。
【請求項３】
前記所定の条件は、前記コントロール・プレーン・メッセージのコンテンツ又は種別に関し、
前記１又は複数の無線局は、前記コントロール・プレーン・メッセージが前記第２の無線アクセス技術に関する前記無線端末の端末情報の前記無線端末への要求又は前記無線端末からの前記端末情報の報告を含む場合に、前記コントロール・プレーン・メッセージを前記１又は複数の第２のセルにおいて送信又は受信するよう構成されている、
請求項１に記載の無線局システム。
【請求項４】
前記所定の条件は、前記コントロール・プレーン・メッセージのコンテンツ又は種別に関し、
前記１又は複数の無線局は、前記コントロール・プレーン・メッセージが前記１又は複数の第２のセルのためのaccess stratum（AS）のセキュリティ設定情報を含む場合に、前記コントロール・プレーン・メッセージを前記１又は複数の第２のセルにおいて送信するよう構成されている、
請求項１に記載の無線局システム。
【請求項５】
前記所定の条件は、前記コントロール・プレーン・メッセージのコンテンツ又は種別に関し、
前記１又は複数の無線局は、前記コントロール・プレーン・メッセージが前記１又は複数の第２のセルのためのaccess stratum（AS）セキュリティのアクティベーションの前記無線端末への要求又は当該要求への前記無線端末からの応答を含む場合に、前記コントロール・プレーン・メッセージを前記１又は複数の第２のセルにおいて送信又は受信するよう構成されている、
請求項１に記載の無線局システム。
【請求項６】
前記所定の条件は、前記コントロール・プレーン・メッセージのコンテンツ又は種別に関し、
前記１又は複数の無線局は、前記コントロール・プレーン・メッセージが前記第２の無線アクセス技術に固有の設定情報を含む場合に、前記コントロール・プレーン・メッセージを前記１又は複数の第２のセルにおいて送信するよう構成されている、
請求項１に記載の無線局システム。
【請求項７】
前記所定の条件は、前記コントロール・プレーン・メッセージの送信に使用されるシグナリング無線ベアラの種別に関し、
前記１又は複数の無線局は、前記コントロール・プレーン・メッセージが前記第２の無線アクセス技術に関連付けられた特定のシグナリング無線ベアラを介して送信される場合に、前記コントロール・プレーン・メッセージを前記１又は複数の第２のセルにおいて送信又は受信するよう構成されている、
請求項１に記載の無線局システム。
【請求項８】
前記所定の条件は、前記コントロール・プレーン・メッセージの送信要因に関し、
前記１又は複数の無線局は、前記コントロール・プレーン・メッセージが前記１又は複数の第２のセルの無線品質の劣化に起因して送信される場合に、前記コントロール・プレーン・メッセージを前記１又は複数の第２のセルにおいて受信するよう構成されている、
請求項１に記載の無線局システム。
【請求項９】
前記所定の条件は、前記NASメッセージに関連付けられたコアネットワークの種別に関し、
前記１又は複数の無線局は、前記コアネットワークが前記第２の無線アクセス技術の導入に伴う新たな種別のコアネットワークである場合に、前記NASメッセージを包含する前記コントロール・プレーン・メッセージを前記１又は複数の第２のセルにおいて送信又は受信するよう構成されている、
請求項１に記載の無線局システム。
【請求項１０】
前記１又は複数の無線局は、前記第１の無線アクセス技術に従って前記無線端末と通信するためのRadio Link Control（RLC）及びMedium Access Control（MAC）レイヤと、前記第２の無線アクセス技術に従って前記無線端末と通信するためのRadio Link Control（RLC）及びMedium Access Control（MAC）レイヤと、前記２つのRLCレイヤの両方に関連付けられた共通のPacket Data Convergence Protocol（PDCP）レイヤと、前記共通のPDCPレイヤに関連付けられた共通のRRCレイヤを提供するよう構成されている、
請求項１〜９のいずれか１項に記載の無線局システム。
【請求項１１】
前記１又は複数の無線局は、前記第１の無線アクセス技術のための第１の無線局、及び前記第２の無線アクセス技術のための第２の無線局を含み、
前記第２の無線局は、前記第２の無線アクセス技術に従って前記無線端末と通信するためのRadio Link Control（RLC）及びMedium Access Control（MAC）レイヤを提供し、
前記第１の無線局は、前記第１の無線アクセス技術に従って前記無線端末と通信するためのRadio Link Control（RLC）及びMedium Access Control（MAC）レイヤ、前記２つのRLCレイヤの両方に関連付けられた共通のPacket Data Convergence Protocol（PDCP）レイヤ、並びに前記共通のPDCPレイヤに関連付けられた共通のRRCレイヤを提供するよう構成されている、
請求項１〜９のいずれか１項に記載の無線局システム。
【請求項１２】
前記第１の無線アクセス技術は、LTE及びLTE-Advancedの継続的発展であり、
前記第２の無線アクセス技術は、新たな5G無線アクセス技術である、
請求項１〜１１のいずれか１項に記載の無線局システム。
【請求項１３】
１又は複数の無線局を含む無線局システムにおける方法であって、
第１の無線アクセス技術に従う１又は複数の第１のセルと、前記１又は複数の第１のセルに追加して従属的に使用される第２の無線アクセス技術に従う１又は複数の第２のセルを、同時に１つの無線端末に提供すること、及び
所定の条件が満たされる場合に、コントロール・プレーン・メッセージを前記１又は複数の第２のセルにおいて前記無線端末に送信又は前記無線端末から受信すること、
を備え、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
方法。
【請求項１４】
メモリと、
前記メモリに結合された少なくとも１つのプロセッサと、
を備え、
前記少なくとも１つのプロセッサは、
第１の無線アクセス技術に従う１又は複数の第１のセルと、前記１又は複数の第１のセルに追加して従属的に使用される第２の無線アクセス技術に従う１又は複数の第２のセルにおいて同時に１又は複数の無線局を含む無線局システムと通信するよう構成され、且つ
所定の条件が満たされる場合に、コントロール・プレーン・メッセージを前記１又は複数の第２のセルにおいて前記無線局システムに送信又は前記無線局システムから受信するよう構成され、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
無線端末。
【請求項１５】
前記所定の条件は、前記コントロール・プレーン・メッセージのコンテンツ又は種別に関し、
前記少なくとも１つのプロセッサは、前記コントロール・プレーン・メッセージが前記１又は複数の第２のセルに関する端末測定の前記無線端末への要求又は前記１又は複数の第２のセルに関する前記無線端末からの測定結果の報告を含む場合に、前記コントロール・プレーン・メッセージを前記１又は複数の第２のセルにおいて受信又は送信するよう構成されている、
請求項１４に記載の無線端末。
【請求項１６】
前記所定の条件は、前記コントロール・プレーン・メッセージのコンテンツ又は種別に関し、
前記少なくとも１つのプロセッサは、前記コントロール・プレーン・メッセージが前記第２の無線アクセス技術に関する前記無線端末の端末情報の前記無線端末への要求又は前記無線端末からの前記端末情報の報告を含む場合に、前記コントロール・プレーン・メッセージを前記１又は複数の第２のセルにおいて受信又は送信するよう構成されている、
請求項１４に記載の無線端末。
【請求項１７】
前記所定の条件は、前記コントロール・プレーン・メッセージのコンテンツ又は種別に関し、
前記少なくとも１つのプロセッサは、前記コントロール・プレーン・メッセージが前記１又は複数の第２のセルのためのaccess stratum（AS）のセキュリティ設定情報を含む場合に、前記コントロール・プレーン・メッセージを前記１又は複数の第２のセルにおいて受信するよう構成されている、
請求項１４に記載の無線端末。
【請求項１８】
前記所定の条件は、前記コントロール・プレーン・メッセージのコンテンツ又は種別に関し、
前記少なくとも１つのプロセッサは、前記コントロール・プレーン・メッセージが前記１又は複数の第２のセルのためのaccess stratum（AS）セキュリティのアクティベーションの前記無線端末への要求又は当該要求への前記無線端末からの応答を含む場合に、前記コントロール・プレーン・メッセージを前記１又は複数の第２のセルにおいて受信又は送信するよう構成されている、
請求項１４に記載の無線端末。
【請求項１９】
前記所定の条件は、前記コントロール・プレーン・メッセージのコンテンツ又は種別に関し、
前記少なくとも１つのプロセッサは、前記コントロール・プレーン・メッセージが前記第２の無線アクセス技術に固有の設定情報を含む場合に、前記コントロール・プレーン・メッセージを前記１又は複数の第２のセルにおいて受信するよう構成されている、
請求項１４に記載の無線端末。
【請求項２０】
前記所定の条件は、前記コントロール・プレーン・メッセージの送信に使用されるシグナリング無線ベアラの種別に関し、
前記少なくとも１つのプロセッサは、前記コントロール・プレーン・メッセージが前記第２の無線アクセス技術に関連付けられた特定のシグナリング無線ベアラを介して送信される場合に、前記コントロール・プレーン・メッセージを前記１又は複数の第２のセルにおいて受信又は送信するよう構成されている、
請求項１４に記載の無線端末。
【請求項２１】
前記所定の条件は、前記コントロール・プレーン・メッセージの送信要因に関し、
前記少なくとも１つのプロセッサは、前記コントロール・プレーン・メッセージが前記１又は複数の第２のセルの無線品質の劣化に起因して送信される場合に、前記コントロール・プレーン・メッセージを前記１又は複数の第２のセルにおいて送信するよう構成されている、
請求項１４に記載の無線端末。
【請求項２２】
前記所定の条件は、前記NASメッセージに関連付けられたコアネットワークの種別に関し、
前記少なくとも１つのプロセッサは、前記コアネットワークが前記第２の無線アクセス技術の導入に伴う新たな種別のコアネットワークである場合に、前記NASメッセージを包含する前記コントロール・プレーン・メッセージを前記１又は複数の第２のセルにおいて受信又は送信するよう構成されている、
請求項１４に記載の無線端末。
【請求項２３】
前記少なくとも１つのプロセッサは、前記第１の無線アクセス技術に従って前記無線局システムと通信するためのRadio Link Control（RLC）及びMedium Access Control（MAC）レイヤと、前記第２の無線アクセス技術に従って前記無線局システムと通信するためのRadio Link Control（RLC）及びMedium Access Control（MAC）レイヤと、前記２つのRLCレイヤの両方に関連付けられた共通のPacket Data Convergence Protocol（PDCP）レイヤと、前記共通のPDCPレイヤに関連付けられた共通のRRCレイヤを提供するよう構成されている、
請求項１４〜２２のいずれか１項に記載の無線端末。
【請求項２４】
前記第１の無線アクセス技術は、LTE及びLTE-Advancedの継続的発展であり、
前記第２の無線アクセス技術は、新たな5G無線アクセス技術である、
請求項１４〜２３のいずれか１項に記載の無線端末。
【請求項２５】
無線端末における方法であって、
第１の無線アクセス技術に従う１又は複数の第１のセルと、前記１又は複数の第１のセルに追加して従属的に使用される第２の無線アクセス技術に従う１又は複数の第２のセルにおいて同時に１又は複数の無線局を含む無線局システムと通信すること、及び
所定の条件が満たされる場合に、コントロール・プレーン・メッセージを前記１又は複数の第２のセルにおいて前記無線局システムに送信又は前記無線局システムから受信すること、
を備え、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
方法。
【請求項２６】
無線端末における方法をコンピュータに行わせるためのプログラムを格納した非一時的なコンピュータ可読媒体であって、
前記方法は、
第１の無線アクセス技術に従う１又は複数の第１のセルと、前記１又は複数の第１のセルに追加して従属的に使用される第２の無線アクセス技術に従う１又は複数の第２のセルにおいて同時に１又は複数の無線局を含む無線局システムと通信すること、及び
所定の条件が満たされる場合に、コントロール・プレーン・メッセージを前記１又は複数の第２のセルにおいて前記無線局システムに送信又は前記無線局システムから受信すること、
を備え、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
非一時的なコンピュータ可読媒体。
【発明の詳細な説明】
【技術分野】
【０００１】
本開示は、無線局と無線端末の間の複数のRadio Access Technology（RAT）を利用した通信に関する。
【背景技術】
【０００２】
3rd Generation Partnership Project（3GPP）は、2020年以降の導入に向けた5Gの標準化作業を3GPP Release 14として2016年に開始する予定である。5Gは、LTE及びLTE-Advancedの継続的発展（enhancement/evolution）と新たな5Gエア・インタフェース（新たなRadio Access Technology（RAT））の導入による革新的な発展の組合せで実現されると想定されている。新たなRAT（New 5G RAT）は、例えば、LTE/LTE-Advancedの継続的発展が対象とする周波数帯（e.g., 6 GHz以下）よりも高い周波数帯、例えば10 GHz以上のセンチメートル波帯及び30 GHz以上のミリ波帯をサポートする。【０００３】
高い周波数帯は、高レート通信を提供できる。しかしながら、高い周波数帯のカバレッジは、その周波数特性のために、より局所的である。したがって、高い周波数帯が特定のエリアでの容量及びデータレートを向上するために使用される一方で、広いカバレッジが既存の低い周波数帯によって提供される。すなわち、高い周波数帯でのNew 5G RAT通信の安定性を確保するためには、低い周波数帯と高い周波数帯、つまりLTE/LTE-AdvancedとNew 5G RAT、の密接な(tight) 統合（integration）又は密接なインターワーキングが必要とされる。5Gをサポートする無線端末（5G User Equipment（UE））は、Carrier Aggregation（CA）若しくはDual Connectivity（DC）又はこれらを改良した技術を用いて、低い周波数帯および高い周波数帯（つまり、LTE/LTE-Advancedセル及びNew 5G セル）の両方に接続する。【０００４】
非特許文献１は、LTEエア・インタフェース（LTE RAT）及び新たな5Gエア・インタフェース（New 5G RAT）を共に使用するためのユーザ・プレーン及びコントロール・プレーンのアーキテクチャを開示している。いくつかの実装において、共通の（common）Radio Resource Control（RRC）レイヤ及び共通のPacket Data Convergence Protocol（PDCP）レイヤ（サブレイヤ）が使用される。共通のPDCPレイヤは、LTE下位レイヤ（layers）とNew 5G下位レイヤ（layers）に接続され、これらLTE下位レイヤ及びNew 5G下位レイヤを介したユーザ・プレーン・データ及びコントロール・プレーン・データの転送サービスを上位レイヤに提供する。LTE下位レイヤは、LTE-RATのためのRadio Link Control（RLC）レイヤ、Medium Access Control（MAC）レイヤ、及び物理レイヤを含む。同様に、New 5G下位レイヤは、New 5G RATのためのRLCレイヤ、MACレイヤ及び物理レイヤを含む。【０００５】
非特許文献１は、さらに、共通のPDCPレイヤ及び共通のRRCレイヤがLTE基地局に配置されることを前提に、同じコントロール・プレーン・メッセージをLTEセル及びNew 5G セルの両方で同時に送信すること（Control Plane Diversity）、及びコントロール・プレーン・コネクションの経路をLTEセルとNew 5Gセルの間で切り替えること（Fast Control Plane Switching）を記載している。共通のPDCP及び共通のRRCレイヤが使用されることで、UEは、複数のエア・インタフェースのいずれかを介して１つのコントロール・ポイント（つまり、共通のRRCレイヤ）に接続すればよい。【０００６】
なお、本明細書で使用される“LTE”との用語は、特に断らない限り、New 5G RATとの密接なインターワーキングを可能とする5GのためのLTE及びLTE-Advancedの発展を含む。このようなLTE及びLTE-Advancedの発展は、LTE-Advanced Pro、LTE+、又はenhanced LTE（eLTE）とも呼ばれる。また、本明細書における“5G”又は“New 5G”との用語は、第5世代移動通信システム（5G）のために新たに導入されるエア・インタフェース（RAT）及びこれに関するノード、セル、及びプロトコルレイヤ等を示すために便宜的に使用される。新たに導入されるエア・インタフェース（RAT）及びこれに関するノード、セル、及びプロトコルレイヤの正式な名称は、標準化作業が進む過程で将来的に決定されるであろう。例えば、LTE RATは、Primary RAT (P-RAT, pRAT)又はMaster RATと呼ばれ、New 5G RATは、Secondary RAT (S-RAT, sRAT)と呼ばれるかもしれない。
【先行技術文献】
【特許文献】
【０００７】
【非特許文献１】Da Silva, I.; Mildh, G.; Rune, J.; Wallentin, P.; Vikberg, J.; Schliwa-Bertling, P.; Rui Fan, "Tight Integration of New 5G Air Interface and LTE to Fulfill 5G Requirements," in Vehicular Technology Conference (VTC Spring), 2015 IEEE 81st, pp.1-5, 11-14 May 2015
【発明の概要】
【発明が解決しようとする課題】
【０００８】
発明者等は、LTE RATとNew 5G RATの密接なインターワーキングを提供する5G無線アーキテクチャに関して検討を行い、いくつかの課題を見出した。例えば、非特許文献１は、New 5Gセル固有のコントロール・プレーンを考慮していない。いくつかの実装では、New 5Gセル固有のコントロール・プレーン（CP）・メッセージ（e.g., 一時的なUE IDの割り当て、下位レイヤの設定、サービス品質管理のためのシグナリング、測定報告）が必要かもしれない。いくつかの実装では、5Gセル固有のシグナリング・コネクション（e.g., RRCコネクション、シグナリング無線ベアラ（Signaling Radio Bearer（SRB））が必要かもしれない。New 5Gセル固有のコントロール・プレーン（CP）・メッセージの転送、及び5Gセル固有のシグナリング・コネクションは、LTEセルではなくNew 5Gセルを介して送信されることが効率的であるかもしれない。例えば、重視されている5Gの要件の１つは低遅延（low latency）であり、5G UEは、New 5GセルにおいてLTEセルよりも低遅延での通信を行えると期待できる。【０００９】
したがって、本明細書に開示される実施形態が達成しようとする目的の１つは、２つの異なるRATのインターワーキングを提供する無線アーキテクチャにおいて、従属的に使用されるRATのセルを介したコントロール・プレーン・メッセージの送信を効果的に行うことに寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１０】
第１の態様では、無線局システムは、１又は複数の無線局を含む。前記１又は複数の無線局は、第１の無線アクセス技術に従う１又は複数の第１のセルと、前記１又は複数の第１のセルに追加して従属的に使用される第２の無線アクセス技術に従う１又は複数の第２のセルを、同時に１つの無線端末に提供するよう構成されている。前記１又は複数の無線局は、所定の条件が満たされる場合に、コントロール・プレーン・メッセージを前記１又は複数の第２のセルにおいて前記無線端末に送信又は前記無線端末から受信するよう構成されている。前記コントロール・プレーン・メッセージは、non-access stratum（NAS）メッセージ若しくはradio resource control（RRC）メッセージ又はこれら両方を含む。前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する。【００１１】
第２の態様では、１又は複数の無線局を含む無線局システムにおける方法は、
（ａ）第１の無線アクセス技術に従う１又は複数の第１のセルと、前記１又は複数の第１のセルに追加して従属的に使用される第２の無線アクセス技術に従う１又は複数の第２のセルを、同時に１つの無線端末に提供すること、及び
（ｂ）所定の条件が満たされる場合に、コントロール・プレーン・メッセージを前記１又は複数の第２のセルにおいて前記無線端末に送信又は前記無線端末から受信すること、
を含む。前記コントロール・プレーン・メッセージは、non-access stratum（NAS）メッセージ若しくはradio resource control（RRC）メッセージ又はこれら両方を含む。前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する。【００１２】
第３の態様では、無線端末は、メモリ、及び前記メモリに結合された少なくとも１つのプロセッサを含む。前記少なくとも１つのプロセッサは、第１の無線アクセス技術に従う１又は複数の第１のセルと、前記１又は複数の第１のセルに追加して従属的に使用される第２の無線アクセス技術に従う１又は複数の第２のセルにおいて同時に１又は複数の無線局を含む無線局システムと通信するよう構成されている。前記少なくとも１つのプロセッサは、所定の条件が満たされる場合に、コントロール・プレーン・メッセージを前記１又は複数の第２のセルにおいて前記無線局システムに送信又は前記無線局システムから受信するよう構成されている。前記コントロール・プレーン・メッセージは、non-access stratum（NAS）メッセージ若しくはradio resource control（RRC）メッセージ又はこれら両方を含む。前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する。【００１３】
第４の態様では、無線端末における方法は、
（ａ）第１の無線アクセス技術に従う１又は複数の第１のセルと、前記１又は複数の第１のセルに追加して従属的に使用される第２の無線アクセス技術に従う１又は複数の第２のセルにおいて同時に１又は複数の無線局を含む無線局システムと通信すること、及び
（ｂ）所定の条件が満たされる場合に、コントロール・プレーン・メッセージを前記１又は複数の第２のセルにおいて前記無線局システムに送信又は前記無線局システムから受信すること、
を含む。前記コントロール・プレーン・メッセージは、non-access stratum（NAS）メッセージ若しくはradio resource control（RRC）メッセージ又はこれら両方を含む。前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する。【００１４】
第５の態様では、プログラムは、コンピュータに読み込まれた場合に、上述の第２又は第４の態様に係る方法をコンピュータに行わせるための命令群（ソフトウェアコード）を含む。
【発明の効果】
【００１５】
上述の態様によれば、２つの異なるRATのインターワーキングを提供する無線アーキテクチャにおいて、従属的に使用されるRATのセルを介したコントロール・プレーン・メッセージの送信を効果的に行うことに寄与する装置、方法、及びプログラムを提供できる。
【図面の簡単な説明】
【００１６】
【図１】いくつかの実施形態に係る無線通信ネットワークの構成例を示す図である。
【図２】いくつかの実施形態に係る無線通信ネットワークの構成例を示す図である。
【図３】いくつかの実施形態に係る無線通信ネットワークの他の構成例を示す図である。
【図４】いくつかの実施形態に係る無線プロトコルスタックの例を示す図である。
【図５】いくつかの実施形態に係る無線プロトコルスタックの例を示す図である。
【図６】いくつかの実施形態に係るレイヤ２構造の例を示す図である。
【図７】第１の実施形態に係る無線端末及び基地局の動作の一例を示すシーケンス図である。
【図８】第１の実施形態に係る無線端末及び基地局の動作の一例を示すシーケンス図である。
【図９】第１の実施形態に係る無線端末及び基地局の動作の一例を示すシーケンス図である。
【図１０】第１の実施形態に係るRRCレイヤの動作の一例を示すフローチャートである。
【図１１】第２の実施形態において、各無線ベアラの暗号化／解読のための一時鍵の生成に使用される鍵の例を示すテーブルである。
【図１２】いくつかの実施形態に係る無線端末の構成例を示すブロック図である。
【図１３】いくつかの実施形態に係る基地局の構成例を示すブロック図である。
【発明を実施するための形態】
【００１７】
以下では、具体的な実施形態について、図面を参照しながら詳細に説明する。各図面において、同一又は対応する要素には同一の符号が付されており、説明の明確化のため、必要に応じて重複説明は省略される。
【００１８】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００１９】
以下に示される複数の実施形態は、LTE RATとNew 5G RATの密接なインターワーキングを提供する5G無線アーキテクチャを主な対象として説明される。しかしながら、これらの実施形態は、5G無線アーキテクチャに限定されるものではなく、２つの異なるRATの密接なインターワーキングを提供する他の無線アーキテクチャに適用されてもよい。
【００２０】
＜第１の実施形態＞
図１は、本実施形態を含むいくつかの実施形態に係る無線通信ネットワークの構成例を示している。図１の例では、無線通信ネットワークは、無線端末（UE）１及び統合された基地局（integrated eNB）２を含む。UE１は、5G UEであり、CA若しくはDC又はこれらを改良した技術を用いて、１又は複数のLTE セル（e.g., セル２１及び２２）及び１又は複数のNew 5Gセル（e.g., セル２３及び２４）の両方に接続する。以下では、5G UE１によって使用される１又は複数のLTE セル及び１又は複数のNew 5Gセルを、それぞれLTEセルグループ（cell group（CG））及びNew 5G CGと呼ぶ。LTE CG内及びNew 5G CG内の各セルは、integrated eNB２によって5G UE１に設定され且つアクティブ化（activated）されたセルである。いくつかの実装において、LTE CG（e.g., セル２１及び２２）の周波数帯（e.g., F1及びF2）は低い周波数帯（e.g., 6 GHzより低い）であり、New 5G CG（e.g., セル２３及び２４）の周波数帯（e.g., F3及びF4）は高い周波数帯（e.g., 6 GHzより高い）である。
【００２１】
Integrated eNB２は、5Gをサポートし、周波数及びRATが異なる複数のコンポーネントキャリア（CC）を使用する複数のセルを提供する。図１の例では、integrated eNB２は、LTEセル２１及び２２並びにNew 5Gセル２３及び２４を提供する。Integrated eNB２は、CA若しくはDC又はこれらを改良した技術を用いて、LTE CG（e.g., セル２１及び２２）及びNew 5G CG（e.g., セル２３及び２４）の両方を介して5G UE１と通信する。さらに、integrated eNB２は、コアネットワーク、すなわち統合されたEvolved Packet Core（integrated EPC）４１に接続される。Integrated EPC４１は、LTEのコアネットワーク機能及び5Gの新たなコアネットワーク機能を提供する。いくつかの実装において、integrated eNB２は、5Gに特化したコアネットワーク（5G specific EPC４２）に接続されてもよい。
【００２２】
図２に示されているように、integrated eNB２の複数のセルの少なくとも１つ（e.g., New 5Gセル２３及び２４）を提供するために遠隔の無線ユニット３が使用されてもよい。図２の構成では、integrated eNB２は、アップリンク及びダウンリンク信号に関するデジタル信号処理を行い、無線ユニット３は、物理レイヤのアナログ信号処理を行う。例えば、integrated eNB２と無線ユニット３の間は光ファイバで接続され、当該光ファイバ上でCommon Public Radio Interface（CPRI） standardを用いてデジタルベースバンド信号が転送される。図２の構成は、Cloud Radio Access Network（C-RAN）と呼ばれる。無線ユニット３は、Remote Radio Head（RRH）又はRemote Radio Equipment（RRE）と呼ばれる。また、ベースバンドデジタル信号処理を担うintegrated eNB２は、Baseband Unit（BBU）と呼ばれる。さらに、CPRIの他に（例えば3GPP、Small Cell Forumにおいて）標準規定されるフロントホール（インタフェース）を用いて、Layer 1,2,3のいずれかの情報（を含む信号）が転送されてもよい。例えば、L1とL2の間またはL2内のSub-layer間をフロントホールで接続する形態は、L2 C-RANとも呼ばれる。この場合、図２のintegrated eNB２はDigital Unit (DU)、RRH３はRadio Unit (RU)とも呼ばれる。
【００２３】
図１及び図２に示された構成例では、LTE無線プロトコル及びNew 5G無線プロトコルが１つノード（i.e., integrated eNB２）に実装される。したがって図１及び図２に示された構成例は、co-located 配置（deployments）又はco-located RANと呼ばれる。なお、L2 C-RAN構成の場合、New 5G無線プロトコルの一部がRUに配置されていてもよい。一方、他の構成例では、non co-located配置又はnon co-located RANが採用されてもよい。Non co-located配置では、LTE無線プロトコル及びNew 5G無線プロトコルが異なる２つのノード（eNBs）によって提供される。これら２つのノードは、例えば、地理的に離れた２つの異なるサイトに設置される。
【００２４】
図３は、本実施形態を含むいくつかの実施形態に係る無線通信ネットワークのnon co-located配置の例を示している。図３の例では、無線通信ネットワークは、5G UE１、LTE+ eNB５、及び5G specific eNB６を含む。LTE+ eNB５は、LTE CG（e.g., セル２１及び２２）を提供し、5G specific eNB６は、New 5G CG（e.g., セル２３及び２４）を提供する。LTE+ eNB５は、光ファイバ・リンク又はpoint-to-point無線リンク等の通信回線によって5G specific eNB６と接続され、基地局間インタフェース３０１（e.g., 発展された（enhanced）X2インタフェース）上で5G specific eNB６と通信する。LTE+ eNB５及び5G specific eNB６は、CA若しくはDC又はこれらを改良した技術を用いてLTE CG及び5G CGの両方に接続することを5G UE１に可能とするために、互いに連携して動作（interwork）する。
【００２５】
図４は、5G UE１及びintegrated eNB２がサポートする無線プロトコルスタックの一例を示している。図４に示された無線プロトコルスタック４００は、統合された（integrated）RRCレイヤ４０１及び統合されたPDCPレイヤ（サブレイヤ）４０２を含む。統合されたRRCレイヤ４０１及び統合されたPDCPレイヤ４０２は、それぞれ共通の（common）RRCレイヤ及び共通のPDCPレイヤと呼ぶこともできる。無線プロトコルスタック４００は、さらに、LTE下位レイヤ（layers）及びNew 5G下位レイヤ（layers）を含む。LTE下位レイヤは、LTE RLCレイヤ４０３、LTE MACレイヤ４０４、及びLTE PHYレイヤ４０５を含む。New 5G下位レイヤは、New RLCレイヤ４０６、New MACレイヤ４０７、及びNew PHYレイヤ４０８を含む。Integrated eNB２の場合、LTE PHYレイヤ４０５の機能の一部（e.g., アナログ信号処理）は、LTE用のRRHによって提供されてもよい。同様に、New PHYレイヤ４０８の機能の一部（e.g., アナログ信号処理）は、New 5G用のRRHによって提供されてもよい。また、上述のL2 C-RAN構成の場合、New PHYレイヤ、New MACレイヤ、あるいはNew RLCレイヤの機能の一部（及び、それより下位の機能）は、New 5G用のRUによって提供されてもよい。
【００２６】
統合されたRRCレイヤ４０１は、LTE RAT及びNew 5G RATでのコントロール・プレーン機能を担う。統合されたRRCレイヤ４０１の主なサービス及び機能は以下を含む：
・non-access stratum（NAS）及びaccess stratum（AS）のためのシステム情報の送信、
・ページング、
・RRCコネクションの確立・メンテナンス・解放、
・鍵管理を含むセキュリティ機能、
・無線ベアラの設定・メンテナンス・解放、
・下位レイヤ・プロトコル（i.e., PDCP、RLC、MAC、PHY）の設定、
・QoS管理、
・UE測定報告及びその設定、及び
・UEとコアネットワークの間でのNASメッセージの転送を含む。
【００２７】
統合されたRRCレイヤ４０１は、無線ベアラの管理、ユーザ・プレーン（データ無線ベアラ）のデータの暗号化／復号化の制御、コントロール・プレーン（シグナリング無線ベアラ）のデータ（RRC PDUs）の暗号化／復号化の制御、及びコントロール・プレーン（シグナリング無線ベアラ）のデータ（RRC PDUs）の完全性保護（integrity protection）の制御のために、統合されたPDCPレイヤ４０２と通信する。さらに、統合されたRRCレイヤ４０１は、LTE RLCレイヤ４０３、LTE MACレイヤ４０４、及びLTE PHYレイヤ４０５を制御するとともに、New RLCレイヤ４０６、New MACレイヤ４０７、及びNew PHYレイヤ４０８も制御する。
【００２８】
統合されたPDCPレイヤ４０２は、データ無線ベアラ及びシグナリング無線ベアラのデータの転送サービスを上位レイヤに提供する。統合されたPDCPレイヤ４０２は、LTE RLCレイヤ４０３及びNew RLCレイヤ４０６からサービスを受ける。すなわち、統合されたPDCPレイヤ４０２は、LTE RATを介したPDCP PDUsの転送サービスをLTE RLCレイヤ４０３から提供され、New 5G RATを介したPDCP PDUsの転送サービスをNew RLCレイヤ４０６から提供される。
【００２９】
なお、図４に示された、統合されたPDCPレイヤ４０２を使用する無線プロトコルスタック４００は、co-located配置（図１及び図２）だけでなく、non co-located配置（図３）にも適用できることに留意されるべきである。すなわち、図５に示されるように、non co-located配置では、LTE+ eNB５は、あるサイト５０１に配置され、統合されたRRCレイヤ４０１、統合されたPDCPレイヤ４０２、LTE RLCレイヤ４０３、LTE MACレイヤ４０４、及びLTE PHYレイヤ４０５を提供する。一方、5G specific eNB６は、別のサイト５０２に配され、New RLCレイヤ４０６、New MACレイヤ４０７、及びNew PHYレイヤ４０８を提供する。
【００３０】
いくつかの実装において、non co-located配置で使用される5G specific eNB６は、New RRCレイヤ５１１及びNew PDCPレイヤ５１２を有してもよい。また、5G specific eNB６は、5G UE１のためにコアネットワーク（e.g., Integrated EPC４１又は5G specific EPC４２）との制御インタフェース又はコネクション（e.g., S1-MMEインタフェース, S1-Uインタフェース）を有してもよい。いくつかの実装において、New RRCレイヤ５１１は、New 5G CG（e.g., New 5Gセル２３及び２４）の下位レイヤ４０６〜４０８を設定し、New 5G CGを介してシステム情報（i.e., Master Information Block (MIB) 若しくは System Information Blocks (SIBs)又はこれら両方）を送信してもよい。New RRCレイヤ５１１は、5G UE１とのシグナリング無線ベアラを設定し、New 5G CG（e.g., New 5Gセル２３及び２４）の下位レイヤ４０６〜４０８並びにNew PDCPレイヤ５１２を設定し、New 5G CGを介してRRCメッセージを5G UE１に送信し且つ5G UE１から受信してもよい。New RRCレイヤ５１１は、コアネットワーク（e.g., Integrated EPC４１又は5G specific EPC４２）と5G UE１の間でNASメッセージを転送してもよい。New PDCPレイヤ５１２は、New 5G下位レイヤ４０６〜４０８を介したRRCメッセージの転送サービスをNew RRCレイヤ５１１に提供する。
【００３１】
New RRCレイヤ５１１は、統合されたRRCレイヤ４０１に従属してもよいし（つまり、従属関係）、統合されたRRCレイヤ４０１と同等の制御をしてもよい（つまり、同様の機能を有する）。前者（従属関係）の場合、5G specific eNB６（のNew RRCレイヤ５１１）は、LTE+ eNB５（の統合されたRRCレイヤ４０１）の指示または要求に応答して、New 5Gセル（New 5G CG）に対するRRC設定情報を生成してもよい。5G specific eNB６（のNew RRCレイヤ５１１）は、当該RRC設定情報をLTE+ eNB５（の統合されたRRCレイヤ４０１）に送信し、LTE+ eNB５はLTEセル（LTE CG）で5G UE１に当該RRC設定情報を含むRRCメッセージ（e.g., RRC Connection Reconfiguration message）を送信してもよい。あるいは、5G specific eNB６（のNew RRCレイヤ５１１）は、当該RRC設定情報を含むRRCメッセージをNew 5Gセルで5G UE１に送信してもよい。
【００３２】
5G UE１は、図５に示す無線ネットワークと通信するために、図４で示されるプロトコルスタックをサポートしてもよいし、別のプロトコルスタックをサポートしてもよい。例えば、5G UE１は、LTE+ eNB５の統合されたRRCレイヤ４０１に対応するRRCレイヤ（master RRCレイヤ、primary RRCレイヤ）と、5G specific eNB６のNew RRCレイヤ５１１に対応する補助的なRRCレイヤ（sub RRCレイヤ、secondary RRCレイヤ）を有してもよい。例えば、sub RRCレイヤは、master RRCレイヤが制御するRRC設定情報の一部の送信若しくは受信（生成若しくは復元）又はこれら両方を行うようにしてもよい。例えば、5G UE１は、LTEセル（LTE CG）のRRC設定情報及びNew 5Gセル（New 5G CG）のRRC設定情報の両方を、LTEセルにおいて受信してもよいし、New 5Gセルにおいて受信してもよい。あるいは、5G UE１は、LTEセル（LTE CG）のRRC設定情報をLTEセルで受信し、New 5Gセル（New 5G CG）のRRC設定情報をNew 5Gセルで受信してもよい。
【００３３】
図４に示された無線プロトコルスタックは一例であり、5G UE１及びintegrated eNB２は、他のプロトコルスタックをサポートしてもよい。例えば、図４では統合されたPDCPレイヤ４０２がLTE下位レイヤ及びNew 5G下位レイヤを統合（連携）している。これに代えて、LTE PHYレイヤ４０５及びNew PHYレイヤ４０８を統合（連携）するよう動作する統合されたMACレイヤが使用されてもよい。
【００３４】
図６は、いくつかの実施形態に係るアップリンクのためのレイヤ２構造の一例を示している。なお、ダウンリンクのためのレイヤ２構造も、トランスポートチャネルの名称が異なる等のいくつかの点を除いて図６と同様である。図６に示された統合されたPDCPレイヤ６０２、LTE RLCレイヤ６０３、LTE MACレイヤ６０４、New RLCレイヤ６０６、及びNew MACレイヤ６０７は、図４及び図５に示された統合されたPDCPレイヤ４０２、LTE RLCレイヤ４０３、LTE MACレイヤ４０４、New RLCレイヤ４０６、及びNew MACレイヤ４０７にそれぞれ対応する。
【００３５】
統合されたPDCPレイヤ６０２は、１又は複数のPDCPエンティティを含む。各PDCPエンティティは、１つの無線ベアラのデータを運ぶ。各PDCPエンティティは、データ無線ベアラ（DRB）とシグナリング無線ベアラ（SRB）のどちらからのデータを運ぶかに依存して、ユーザ・プレーン又はコントロール・プレーンに関連付けられる。図６の例では、統合されたPDCPレイヤ６０２は、３つの無線ベアラ#1、#2、及び#3にそれぞれ対応する３つのPDCPエンティティ６０２１、６０２２、及び６０２３を含む。無線ベアラ#1、#2、及び#3の各々は、SRBであってもよいしDRBであってもよい。
【００３６】
なお、無線ベアラ#1のデータは、LTE RATを介してLTE CG（e.g., LTEセル２１及び２２）において5G UE１からintegrated eNB２（又はLTE+ eNB５）に送信される。したがって、以下では無線ベアラ#1は、LTEベアラと呼ばれることもある。無線ベアラ#1は、LTE Release 12 DCのMCGベアラ（MCG bearer）に相当するベアラである。
【００３７】
無線ベアラ#2のデータは、New 5G RATを介してNew 5G CG（e.g., New 5Gセル２３及び２４）において5G UE１からintegrated eNB２（又は5G specific eNB６）に送信される。したがって、以下では無線ベアラ #2は、New 5Gベアラと呼ばれることもある。ここで、5G specific eNB６が管理するNew 5G CGにおいてデータが送信される場合、無線ベアラ#2は、LTE Release 12 DCのSCGベアラ（SCG bearer）に相当するベアラである。一方、integrated eNB２が管理するNew 5G CGにおいてデータが送信される場合、無線ベアラ#2は、LTE Release 12 DCのスプリットベアラ（split bearer）のSCG側のベアラに相当してもよい。
【００３８】
無線ベアラ#3は、LTE Release 12 DCのスプリットベアラ（split bearer）に相当するベアラである。すなわち、無線ベアラ#3は、LTE CGのリソース及びNew 5G CGのリソースを共に使用するために、LTE RATの１つの論理チャネル及びNew 5G RATの１つの論理チャネルの両方に対応付けられる。ユーザデータの場合、LTE RATの論理チャネルは、Dedicated Traffic Channel（DTCH）である。New 5G RATの論理チャネルは、DTCHに相当するユーザデータ用の5G論理チャネルである。以下では無線ベアラ#3は、スプリットベアラ又は統合されたベアラ（integrated bearer）と呼ばれることもある。
【００３９】
5G UE１によるアップリンク送信の場合、PDCPエンティティ６０２１は、無線ベアラ#1（LTEベアラ）のデータからPDCP PDUsを生成し、LTE RLCエンティティ６０３１にこれらを送る。Integrated eNB２（又はLTE+ eNB５）によるアップリンク受信の場合、PDCPエンティティ６０２１は、LTE RLCエンティティ６０３１からRLC SDUs（PDCP PDUs）を受信し、無線ベアラ#1のデータを上位レイヤに送る。
【００４０】
5G UE１によるアップリンク送信の場合、PDCPエンティティ６０２２は、無線ベアラ#2（New 5Gベアラ）のデータからPDCP PDUsを生成し、New RLCエンティティ６０６１にこれらを送る。Integrated eNB２（又は5G specific eNB６）によるアップリンク受信の場合、PDCPエンティティ６０２２は、New RLCエンティティ６０６１からRLC SDUs（PDCP PDUs）を受信し、無線ベアラ#2のデータを上位レイヤに送る。
【００４１】
5G UE１によるアップリンク送信の場合、PDCPエンティティ６０２３は、無線ベアラ#3（integrated bearer）のデータからPDCP PDUsを生成し、これらのPDCP PDUsをLTE RLCエンティティ６０３２又はNew RLCエンティティ６０６２にルーティングする。Integrated eNB２（又はLTE+ eNB５及び5G specific eNB６）によるアップリンク受信の場合、PDCPエンティティ６０２３は、LTE RLCエンティティ６０３２及びNew RLCエンティティ６０６２から受信したPDCP PDUs（RLC SDUs）をリオーダリングし、無線ベアラ#3のデータを上位レイヤに送る。
【００４２】
LTE RLCレイヤ６０３及びNew RLCレイヤ６０６の各RLCエンティティは、統合されたRRCエンティティ（図４のRRCエンティティ４０１）によってRLC Acknowledged Mode（RLC AM）データ転送又はRLC Unacknowledged Mode（RLC UM）データ転送を設定され、PDCP PDUsの転送サービスを提供する。5G UE１によるアップリンク送信の場合、LTE RLCレイヤ６０３の各RLCエンティティは、PDCP PDUs（RLC SDUs）からRLC PDUs（つまり、論理チャネルのデータ）を生成し、これらをLTE MACレイヤ６０４のMACエンティティ６０４１に送る。同様に、New RLCレイヤ６０６の各RLCエンティティは、PDCP PDUs（RLC SDUs）からRLC PDUs（つまり、論理チャネルのデータ）を生成し、これらをNew MACレイヤ６０７のMACエンティティ６０７１に送る。
【００４３】
図６の例では、１つの5G UE１に設定された２つのLTEセル（LTE CG）のために１つのMACエンティティ６０４１が使用される。5G UE１によるアップリンク送信の場合、MACエンティティ６０４１は、２つのRLCエンティティ６０３１及び６０３２からの２つの論理チャネルに属するRLC PDUs（MAC SDUs）をTransmission Time Interval（TTI）毎に２つのトランスポートブロックに多重化する。ここで、TTI毎の２つのトランスポートブロックは、２つのLTEセル２１及び２２に対応する２つのULトランスポートチャネル（UL-SCHs）上でLTE物理レイヤ４０５に送られる。
【００４４】
同様に、１つの5G UE１に設定された２つのNew 5Gセル（New 5G CG）のために１つのMACエンティティ６０７１が使用される。5G UE１によるアップリンク送信の場合、MACエンティティ６０７１は、２つのRLCエンティティ６０７１及び６０７２からの２つの論理チャネルに属するRLC PDUs（MAC SDUs）をTransmission Time Interval（TTI）毎に２つのトランスポートブロックに多重化する。ここで、TTI毎の２つのトランスポートブロックは、２つのNew 5Gセル２３及び２４に対応する２つのULトランスポートチャネル（UL TrCH）上でNew 5G用の物理レイヤ４０８に送られる。
【００４５】
既に説明したように、ダウンリンクのためのレイヤ２構造も、トランスポートチャネルの名称が異なる等のいくつかの点を除いて図６と同様である。例えば、5G UE１によるダウンリンク受信の場合、5G UE１のPDCPエンティティ６０２３は、LTE RLCエンティティ６０３２及びNew RLCエンティティ６０６２から受信したPDCP PDUs（RLC SDUs）をリオーダリングし、無線ベアラ#3（integrated bearer）のデータを上位レイヤに送る。
【００４６】
続いて以下では、本実施形態に係る5G UE１及びintegrated eNB２（又はLTE+ eNB５及び5G specific eNB６）によるコントロール・プレーン（CP）・メッセージの送信動作について説明する。5G UE１及び基地局システムは、いずれかのNew 5Gセルの設定及びアクティベーションが完了した後に、つまり5G UE１がNew 5Gセルを利用可能になった後に、CPメッセージの送信（i.e., RRCシグナリング）をNew 5Gセルで行えるよう構成されている。5G UE１及び基地局システムは、CPメッセージが送信されるセルをLTEセルからNew 5Gセルに切り替えてもよい。さらに又はこれに代えて、5G UE１及び基地局システムは、CPメッセージが送信されるセルをLTEセルとNew 5Gセルの間で適応的に使い分けてもよい。ここで、CPメッセージは、NASメッセージ若しくはRRCメッセージ又はこれら両方を含む。基地局システムは、integrated eNB２、又はLTE+ eNB５及び5G specific eNB６を意味する。
【００４７】
より具体的に述べると、5G UE１は、所定の条件が満たされる場合に、New 5G CG内のいずれかのNew 5GセルにおいてCPメッセージを基地局システムに送信、又は基地局システムから受信するよう構成されている。同様に、基地局システムは、所定の条件が満たされる場合に、New 5G CG内のいずれかのNew 5GセルにおいてCPメッセージを5G UE１に送信又は5G UE１から受信するよう構成されている。CPメッセージをLTE CG及びNew 5G CGのどちらで送信するかを決定するための所定の条件は、以下のうち少なくとも１つに関する：
（ａ）CPメッセージのコンテンツ又は種別、
（ｂ）CPメッセージの送信に使用されるシグナリング無線ベアラの種別、
（ｃ）CPメッセージの送信要因、及び
（ｄ）NASメッセージに関連付けられたコアネットワークの種別。
【００４８】
ここで、（ａ）CPメッセージのコンテンツ又は種別に関する条件は、例えばCPメッセージのコンテンツ又は種別が、特定のコンテンツ又は種別に該当すること（又は該当しないこと）でもよい。特定のコンテンツ又は種別は、例えばNew 5Gセルに関する端末測定の要求または測定結果の報告、端末が保有する端末（保有）情報の要求または報告、New 5Gセルに関するaccess stratum（AS）のセキュリティ設定情報、ASセキュリティのアクティベーション要求または当該アクティベーション要求への応答、New 5G RATに固有の設定情報、及び、New 5Gセルのために3GPPによって新たに規定される制御情報、の少なくともいずれかでもよい。
【００４９】
（ｂ）CPメッセージの送信に使用されるシグナリング無線ベアラの種別に関する条件は、例えば使用されるシグナリング無線ベアラが特定のシグナリング無線ベアラの種別に該当すること（又は該当しないこと）でもよい。特定のシグナリング無線ベアラの種別は、例えば予め指定されたLTEのSRB0、SRB1、又はSRB2に相当するものでもよいし、新規のシグナリング無線ベアラ（e.g., SRBx）でもよい。
【００５０】
（ｃ）CPメッセージの送信要因に関する条件は、例えばCPメッセージの送信要因が、特定の送信要因に該当すること（又は該当しないこと）でもよい。特定の送信要因は、例えばNew 5Gセルの無線品質の劣化、LTEセルまたはNew 5Gセルにおける無線リンクの確立の失敗、及び、当該無線リンクの確立の失敗からの無線リンクの再確立の要求または応答、の少なくともいずれかでもよい。
【００５１】
（ｄ）NASメッセージに関連付けられたコアネットワークの種別に関する条件は、例えばNASメッセージの送信に使用されるコアネットワークが特定のコアネットワークの種別に該当すること（又は該当しないこと）でもよい。特定のコアネットワークの種別は、例えばNew 5G RATのために新たに導入されるものでもよいし、所定のサービスまたは機能に対して使用されることが予め指定された固有のコアネットワークでもよい。
【００５２】
第１の実装において、5G UE１は、RRCメッセージがNew 5G CG内の１又は複数のNew 5Gセルに関する5G UE１からの測定結果の報告メッセージ（Measurement report message）を含むか否かに依存して、当該RRCメッセージをNew 5G CGとLTE CGのどちらを介して送信するかを決定してもよい。すなわち、5G UE１は、RRCメッセージが１又は複数のNew 5Gセルに関する5G UE１からの測定結果の報告を含む場合に、当該RRCメッセージをNew 5G CG内のいずれかのセルにおいて送信してもよい。基地局システムは、当該RRCメッセージをNew 5G CG内のいずれかのセルにおいて受信してもよい。一方、5G UE１は、RRCメッセージが１又は複数のLTEセルに関する5G UE１からの測定結果の報告を含む場合に、当該RRCメッセージをいずれかのLTEセルにおいて送信してもよい。ここで、New 5G CGで送信されるべき測定結果の報告とLTE CGで送信されるべき測定結果の報告とは、測定の指示（e.g., MeasConfig IE）又は測定報告イベントのトリガ条件を定める基準（e.g., ReportConfigEUTRA IE）により区別（又は指定）されてもよい。例えば、New 5G CGのセル（e.g., PSCell, special cell, SCell）をターゲットとする測定報告イベントが規定され、5G UE１は、当該測定報告イベントによりトリガされた測定結果の報告をNew 5G CGのいずれかのセルで送信してもよい。New 5G CGのセルターゲットする測定報告イベントは、LTEセルに対するInter-RAT測定として規定されてもよい。
【００５３】
第２の実装において、5G UE１は、RRCメッセージがNew 5G RATに関する5G UE１の端末（保有）情報の要求メッセージ（e.g., UE information request message）又は端末（保有）情報の報告メッセージ（e.g., UE information response message）を含むか否かに依存して、当該RRCメッセージをNew 5G CGとLTE CGのどちらを介して送信するかを決定してもよい。すなわち、5G UE１は、RRCメッセージがNew 5G RATに関する5G UE１の端末（保有）情報の報告（又は要求）を含む場合に、当該RRCメッセージをNew 5G CG内のいずれかのセルにおいて送信（又は受信）してもよい。基地局システムは、当該RRCメッセージをNew 5G CG内のいずれかのセルにおいて受信（又は送信）してもよい。一方、5G UE１は、RRCメッセージがLTE RATに関する5G UE１の端末（保有）情報の報告（又は要求）を含む場合に、当該RRCメッセージをいずれかのLTEセルにおいて送信（又は受信）してもよい。さらに、5G UE１は、要求又は報告される端末（保有）情報の種類によって、New 5G CGとLTE CGのどちらを介して送信するかを決定してもよい。端末（保有）情報の種類は、例えば以下の少なくともいずれか、又はそれらの組み合わせでもよい：
・無線リンクに関する情報、
・ランダムアクセスに関する情報、及び
・移動履歴に関する情報。
【００５４】
無線リンクに関する情報は、例えば、LTE CG（e.g., PCell）又はNew 5G CG（e.g., PSCell, Special cell）における無線品質の劣化（e.g., 無線リンクの切断(Radio Link Failure: RLF)）の情報、又は無線リンク確立の失敗（e.g., RRC Connection Establishment Failure: CEF、RRC Connection Re-establishment failure）の情報でもよい。例えば、LTE CGにおける無線品質の劣化の情報はLTE CG（又はNew 5G CG）で要求又は報告されてもよい。同様に、5G CGにおける無線品質の劣化の情報はNew 5G CG（又はLTE CG）で要求又は報告されてもよい。一方、無線リンク確立の失敗の情報は、常にLTE CG（又はNew 5G CG）で要求又は報告されてもよい。なお、無線リンクの確立は、RRC Connection Reconfigurationによる無線プロトコル（e.g., RRC, PDCP, RLC, MAC, PHY）の設定変更の手順を含んでもよい。また、5G UE１は、LTE CGにおける無線リンクの確立の失敗の情報とNew 5G CGにおける無線リンクの確立の失敗の情報を個別に保持するようにしてもよい。
【００５５】
ランダムアクセス（RACH）に関する情報は、例えば、ランダムアクセス成功までに行ったプリアンブル送信回数、及びプリアンブルのコンテンションを検出したことを示すフラグでもよい。例えば、LTE CGにおけるランダムアクセスに関する情報は、LTE CG（又はNew 5G CG）で要求又は報告されてもよい。同様に、New 5G CGにおけるランダムアクセスに関する情報はNew 5G CG（又はLTE CG）で要求又は報告されてもよい。なお、5G UE１は、LTE CGにおけるプリアンブル送信回数とNew 5G CGにおけるプリアンブル送信回数を個別に保持するようにしてもよい。
【００５６】
移動履歴に関する情報（mobility history report）は、例えば、5G UE１が（当該情報の報告の要求を受けた時点までに）滞在したセルの情報（滞在セル情報リスト：VisitedCellInfoList）でもよい。滞在セル情報リストは、滞在したセルの識別情報（e.g., CGI, PCI, Carrier frequency）、及び各セルに滞在した時間（秒）の情報（timeSpent）の少なくともいずれかを含んでもよい。さらに、5G UE１が、New 5G RAT特有の滞在したセルの情報（e.g., VisitedCellInfoList-5G, VisitedCellInfoList-SRAT）として、New 5Gセルの特定セル（e.g., PSCell, Special cell）の履歴を記録するようにしてもよい。そして、LTE RATに関する滞在セル情報リストはLTE CGで要求又は報告され、New 5G RATに関する滞在セル情報リストは5G CGで要求又は報告されてもよい。
【００５７】
第３の実装において、基地局システムは、RRCメッセージがNew 5G CG内の１又は複数のNew 5Gセルに関するaccess stratum（AS）のセキュリティ設定情報を含むか否かに依存して、当該RRCメッセージをNew 5G CGとLTE CGのどちらを介して送信するかを決定してもよい。すなわち、基地局システムは、RRCメッセージが１又は複数のNew 5Gセルに関するASセキュリティ設定情報を含む場合に、当該RRCメッセージをNew 5G CG内のいずれかのセルにおいて送信してもよい。5G UE１は、当該RRCメッセージをNew 5G CG内のいずれかのセルにおいて受信してもよい。一方、基地局システムは、RRCメッセージが１又は複数のLTEセルに関するASセキュリティ設定情報を含む場合に、当該RRCメッセージをいずれかのLTEセルにおいて送信してもよい。なお、セキュリティ設定情報は、NASメッセージ（NAS PDU）として送信されてもよい。
【００５８】
第４の実装において、基地局システムは、RRCメッセージがNew 5G CG内の１又は複数のNew 5GセルのためのASセキュリティのアクティベーション要求を含むか否かに依存して、当該RRCメッセージをNew 5G CGとLTE CGのどちらを介して送信するかを決定してもよい。すなわち、基地局システムは、RRCメッセージが１又は複数のNew 5GセルのためのASセキュリティのアクティベーション要求（Security Mode Command:  SMC）を含む場合に、当該RRCメッセージをNew 5G CG内のいずれかのセルにおいて送信してもよい。5G UE１は、当該RRCメッセージをNew 5G CG内のいずれかのセルにおいて受信してもよい。一方、基地局システムは、RRCメッセージが１又は複数のLTEセルのためのASセキュリティのアクティベーション要求を含む場合に、当該RRCメッセージをいずれかのLTEセルにおいて送信してもよい。
【００５９】
第５の実装において、5G UE１は、RRCメッセージが１又は複数のNew 5GセルのためのASセキュリティのアクティベーション要求に対する応答（Security Mode Complete, Security Mode Failure）を含むか否かに依存して、当該RRCメッセージをNew 5G CGとLTE CGのどちらを介して送信するかを決定してもよい。すなわち、5G UE１は、RRCメッセージが１又は複数のNew 5GセルのためのASセキュリティのアクティベーション要求に対する応答を含む場合に、当該RRCメッセージをNew 5G CG内のいずれかのセルにおいて送信してもよい。基地局システムは、当該RRCメッセージをNew 5G CG内のいずれかのセルにおいて受信してもよい。一方、5G UE１は、RRCメッセージが１又は複数のLTEセルのためのASセキュリティのアクティベーション要求に対する応答を含む場合に、当該RRCメッセージをいずれかのLTEセルにおいて送信してもよい。
【００６０】
第６の実装において、基地局システムは、RRCメッセージがNew 5G RATに固有の設定情報（e.g., SCG configuration for 5G, Secondary RAT (sRAT) configuration）を含むか否かに依存して、当該RRCメッセージをNew 5G CGとLTE CGのどちらを介して送信するかを決定してもよい。すなわち、基地局システムは、RRCメッセージがNew 5G RATに固有の設定情報を含む場合に、当該RRCメッセージをNew 5G CG内のいずれかのセルにおいて送信してもよい。5G UE１は、当該RRCメッセージをNew 5G CG内のいずれかのセルにおいて受信してもよい。一方、基地局システムは、RRCメッセージがLTE RATに固有の設定情報を含む場合に、当該RRCメッセージをいずれかのLTEセルにおいて送信してもよい。ここで、New 5G RATに固有の設定情報は、少なくとも以下のいずれか、又は組み合わせでもよい:
・端末能力に関する情報、
・サービスに関する情報、及び
・5G CGの管理に関する情報。
【００６１】
端末能力に関する情報は、例えば、New 5G RATに関する端末能力（e.g., UE-EUTRA-CapabilityAddSRAT, UE-EUTRA-Capability-SRAT）、又はNew 5Gセルにおいてサポートされる機能に関する基地局システムからの要求（又は問い合わせ）に対する端末応答でもよく、これらはNew 5G CGにおいて要求（e.g., via UE Capability Enquiry message）及び報告（e.g., via UE Capability Information message）されてもよい。ここで、New 5G RATに関する端末能力の要求であることを示す為に、UE-CapabilityRequest IEのRAT-Typeとして、例えば”sRAT” 又は ”eutra2” が規定され、使用されてもよい。なお、New 5Gセルに接続するために必要なNew 5G RATに関する端末能力の少なくとも一部は、LTEセルにおいて送信されてもよい。
【００６２】
サービスに関する情報は、例えば、New 5G CGにおいて提供されるサービスの実現に必要な制御情報（e.g., Radio resource configuration, Service area information, Service availability information, Service type/category information）、又はサービスのコンテンツに関する制御情報（e.g., Content information, Scheduling/planning information）でもよい。なお、ここで言うサービスは、LTEにおいても提供されることが可能なサービスでもよいし、5Gでのみ提供されることが可能なサービスでもよい。サービスは、例えば、Multimedia Broadcast and Multicast Service (MBMS) (MBMS over a Single Frequency Network (MBSFN), single cell point to multipoint (SC-PTM))、Cell Broadcast Service (CBS)、Proximity Services (ProSe)、Vehicle-to-Everything (V2X) services、又はMobile Edge Computing (MEC)のいずれかでもよい。
【００６３】
New 5G CGの管理に関する情報は、例えば、New 5G CGの特定セル（e.g., PSCell, Special cell）の変更に関する情報（e.g., PSCell/Special cell reconfiguration, pSCellToAddMod-r1x）でもよい。さらに又はこれに代えて、基地局システムは、特定のNew 5Gセル（e.g., PSCell, Special cell）を5G UE１に設定した後（つまり特定の5Gセルが使用可能な状態になった後）、他のNew 5Gセル（e.g., 5G SCell）を5G UE１に追加で設定する又は解放する場合に、当該他のNew 5Gセルの無線リソース設定情報（e.g., sCellToAddModListSRAT, sCellToReleaseListSRAT,  RadioResourceConfigDedicatedSCellSRAT）をNew 5G CGの管理に関する情報として送信してもよい。つまり、New 5G CGにおけるセルの追加及び解放、特定のNew 5Gセルの変更に関連する情報は、New 5G CGのいずれかのセルにおいて送信されてもよい。
【００６４】
なお、New 5G RATに固有の設定情報であるが、New 5Gセルに接続する（又は検出する）ために5G UE１に必要な基本設定情報は、LTEセルにおいて送信されてもよい。当該基本設定情報は、例えば、（LTEとは異なる）サブフレーム構成に関する情報、TTI長に関する情報、サンプリング・レートに関する情報、又はセルタイプに関する情報でもよい。
【００６５】
第６の実装において、基地局システムは、RRCメッセージがNew 5Gセルのために3GPPによって新たに規定される制御情報を含むか否かに依存して、当該RRCメッセージをNew 5G CGとLTE CGのどちらを介して送信するかを決定してもよい。すなわち、基地局システムは、RRCメッセージがNew 5Gセルのために新たに規定される制御情報を含む場合に、当該RRCメッセージをNew 5G CG内のいずれかのセルにおいて送信してもよい。5G UE１は、当該RRCメッセージをNew 5G CG内のいずれかのセルにおいて受信してもよい。一方、基地局システムは、RRCメッセージがLTEのための既存の制御情報を含む場合に、当該RRCメッセージをいずれかのLTEセルにおいて送信してもよい。ここで、New 5Gセルのための制御情報は、少なくとも以下のいずれか、又は組み合わせでもよい：
・コアネットワーク選択に関する情報、及び
・New 5Gセルの独立運用に関する情報。
【００６６】
コアネットワーク選択に関する情報は、例えば、New 5G RATの導入に伴う新たな種別のコアネットワーク（e.g., 5G specific EPC４２。5G Dedicated Core Network（DCN）とも呼ぶ。）に関する情報でもよい。例えば、コアネットワーク選択に関する情報は、コアネットワーク・ノード（e.g., MME, S-GW, P-GW）の識別情報（e.g., MME ID, MMEC, GUMMEI, MMEGI, GUTI, TAI, TEID）、又はコアネットワーク・ノードの接続の切り替えの要求（又は通知）（e.g., Reroute Command, Reroute Request, Reroute indication, DCN selection information, DCN relocation information）でもよい。これらは、integrated EPC４１から5G specific EPC４２に（又はその反対に）接続を切り替える際に必要とされる。さらに又はこれに代えて、コアネットワーク選択に関する情報は、5G specific EPC (5G DCN)４２を選択するための補助情報（assistance information）でもよい。当該補助情報は、例えば、端末タイプ（device type）、用途種別（UE usage type）、又は期待する（推奨する）コアネットワークの情報（expected/preferred CN information）、でもよい。なお、コアネットワーク選択に関する情報は、NASメッセージ（NAS PDU）として送信されてもよい。
【００６７】
New 5Gセルの独立運用（standalone operation）に関する情報は、例えば、New 5GセルをLTEセル（PCell）に対するセカンダリセル（SCell）として使用する代わりに、プライマリセル（PCell）として使用するために必要な設定情報（e.g., Radio resource configuration for 5G/SRAT PCell）でもよいし、New 5GセルをPCellとして使用することを要求又は指定する情報（e.g., Handover to 5G/SRAT cell, Redirection to 5G/SRAT cell）でもよい。なお、これらの情報は、新たに規定されるシグナリング無線ベアラ（e.g., SRBx）で送信されてもよい。さらに、当該SRBxを設定する為に必要な情報も、New 5Gセルで送信されてもよいし、LTEセルで送信されてもよい。
【００６８】
上述した第１〜第６の実装では、5G UE１及び基地局システムは、RRCメッセージがNew 5G RAT又はNew 5Gセルに関係するか否かに依存して、当該RRCメッセージをNew 5G CGとLTE CGのどちらを介して送信するかを決定する。したがって、5G UE１及び基地局システムは、New 5G RAT又はNew 5Gセルに関係するRRCメッセージをNew 5G CG内のいずれかのセルを介してやり取りできる。これにより、例えば、New 5G RAT又はNew 5Gセルに関するRRCメッセージを低遅延で送信することに寄与できる。
【００６９】
第７の実装において、5G UE１は、CPメッセージ（i.e., RRCメッセージ又はNASメッセージ）をNew 5G RATに関連付けられた特定のシグナリング無線ベアラを介して送信するか否かに依存して、当該CPメッセージをNew 5G CGとLTE CGのどちらを介して送信するかを決定してもよい。すなわち、5G UE１は、CPメッセージをNew 5G RATに関連付けられた特定のシグナリング無線ベアラを介して送信する場合に、当該CPメッセージをNew 5G CG内のいずれかのセルにおいて送信してもよい。基地局システムは、当該CPメッセージをNew 5G CG内のいずれかのセルにおいて受信してもよい。なお、特定のシグナリング無線ベアラは、LTEのSRB0、SRB1、又はSRB2であってもよいし、新規のシグナリング無線ベアラ（e.g., SRBx）であってもよい。一方、5G UE１は、CPメッセージをLTE RATに関連付けられた特定のシグナリング無線ベアラを介して送信する場合に、当該CPメッセージをいずれかのLTEセルにおいて送信してもよい。
【００７０】
同様に、第８の実装において、基地局システムは、CPメッセージ（i.e., RRCメッセージ又はNASメッセージ）をNew 5G RATに関連付けられた特定のシグナリング無線ベアラを介して送信するか否かに依存して、当該CPメッセージをNew 5G CGとLTE CGのどちらを介して送信するかを決定してもよい。すなわち、基地局システムは、CPメッセージをNew 5G RATに関連付けられた特定のシグナリング無線ベアラを介して送信する場合に、当該CPメッセージをNew 5G CG内のいずれかのセルにおいて送信してもよい。5G UE１は、当該CPメッセージをNew 5G CG内のいずれかのセルにおいて受信してもよい。一方、基地局システムは、CPメッセージをLTE RATに関連付けられた特定のシグナリング無線ベアラを介して送信する場合に、当該CPメッセージをいずれかのLTEセルにおいて送信してもよい。
【００７１】
上述した第７及び第８の実装では、5G UE１及び基地局システムは、CPメッセージの送信のために使用されるシグナリング無線ベアラがNew 5G RATに関連付けられた特定のベアラであるか否かに依存して、当該CPメッセージをNew 5G CGとLTE CGのどちらを介して送信するかを決定する。したがって、5G UE１及び基地局システムは、New 5G RAT又はNew 5Gセルに関係するCPメッセージをNew 5G CG内のいずれかのセルを介してやり取りできる。これにより、例えば、New 5G RAT又はNew 5Gセルに関するCPメッセージを低遅延で送信することに寄与できる。
【００７２】
第９の実装において、5G UE１は、CPメッセージ（i.e., RRCメッセージ又はNASメッセージ）の送信要因がいずれかのNew 5Gセルの無線品質の劣化であるか否かに依存して、当該CPメッセージをNew 5G CGとLTE CGのどちらを介して送信するかを決定してもよい。すなわち、5G UE１は、CPメッセージがいずれかのNew 5Gセルの無線品質の劣化に起因して送信される場合に、当該CPメッセージをNew 5G CG内のいずれかのセルにおいて送信してもよい。基地局システムは、当該CPメッセージをNew 5G CG内のいずれかのセルにおいて受信してもよい。これにより、例えば、New 5G RAT又はNew 5Gセルに関するCPメッセージを低遅延で送信することに寄与できる。一方、5G UE１は、CPメッセージの送信要因がいずれかのLTEセルの無線品質の劣化であるである場合に、当該NASメッセージを包含するRRCメッセージをいずれかのLTEセルにおいて送信してもよい。
【００７３】
第１０の実装において、5G UE１は、NASメッセージに関連付けられたコアネットワークがNew 5G RATの導入に伴う新たな種別のコアネットワーク（e.g., 5G specific EPC４２）であるか否かに依存して、当該NASメッセージをNew 5G CGとLTE CGのどちらを介して送信するかを決定してもよい。すなわち、5G UE１は、NASメッセージに関連付けられたコアネットワークがNew 5G RATの導入に伴う新たな種別のコアネットワークである場合に、当該NASメッセージを包含するRRCメッセージをNew 5G CG内のいずれかのセルにおいて送信してもよい。基地局システムは、当該NASメッセージを包含するRRCメッセージをNew 5G CG内のいずれかのセルにおいて受信してもよい。これにより、例えば、New 5G RATの導入に伴う新たな種別のコアネットワークに関するNASメッセージを低遅延で送信することに寄与できる。一方、5G UE１は、NASメッセージに関連付けられたコアネットワークが他のコアネットワーク（e.g., integrated EPC４１）である場合に、当該NASメッセージを包含するRRCメッセージをいずれかのLTEセルにおいて送信してもよい。
【００７４】
同様に、第１１の実装において、基地局システムは、NASメッセージに関連付けられたコアネットワークがNew 5G RATの導入に伴う新たな種別のコアネットワーク（e.g., 5G specific EPC４２）であるか否かに依存して、当該NASメッセージをNew 5G CGとLTE CGのどちらを介して送信するかを決定してもよい。すなわち、基地局システムは、NASメッセージに関連付けられたコアネットワークがNew 5G RATの導入に伴う新たな種別のコアネットワークである場合に、当該NASメッセージを包含するRRCメッセージをNew 5G CG内のいずれかのセルにおいて送信してもよい。5G UE１は、当該NASメッセージを包含するRRCメッセージをNew 5G CG内のいずれかのセルにおいて受信してもよい。一方、基地局システムは、NASメッセージに関連付けられたコアネットワークが他のコアネットワーク（e.g., integrated EPC４１）である場合に、当該NASメッセージを包含するRRCメッセージをいずれかのLTEセルにおいて送信してもよい。
【００７５】
上述した第１〜第１１の実装において、RRCメッセージの送信又は受信は、LTE CG又はNew 5G CGのうちの特定のセルにおいて行われてもよい。例えば、LTE CGでRRCメッセージが送信又は受信される場合、プライマリセル（PCell）が使用されてもよい。また、New 5G CGでRRCメッセージが送信又は受信される場合、プライマリ・セカンダリセル（PSCell）が使用されてもよい。なお、PCell及びPSCellをまとめてスペシャルセル（SpCell）とも呼ぶ。
【００７６】
いくつかの実装において，LTE+ eNB５は、New 5Gセルにおいて送信されるCPメッセージ又はこれに関する情報を、5G specific eNB６に送信してもよい。さらに又はこれに代えて、5G specific eNB６は、New 5Gセルにおいて送信される又は受信された（つまり5G UE１から送信された）CPメッセージ又はこれに関する情報を、LTE+ eNB５に送信してもよい。さらに、5G specific eNB６は、コアネットワーク（integrated EPC４１又は5G specific EPC４２）内のノード（e.g., MME）との間で、コントロール・プレーン情報（CPメッセージ（e.g., NASメッセージ、S1 Application Protocol (S1AP)メッセージ））を送信または受信してもよい。
【００７７】
図７は、LTE+ eNB５が5G specific eNB６にNew 5Gセルに関するコントロール・プレーン情報（CPメッセージ）を送信する例を示している。ステップ７０１Ａ又は７０１Ｂでは、5G specific eNB６は、New 5Gセルに関するコントロール・プレーン情報（CPメッセージ）を少なくとも包含するX2メッセージをLTE+ eNB５から受信する。当該X2メッセージは、X2 User Plane Protocol (X2-UP)のDL USER DATAメッセージであってもよいし（ステップ７０１Ａ）、新たに規定されるDL CONTROL DATAメッセージであってもよい。当該X2メッセージは、X2APのX2 AP Message Transferメッセージであってもよい（ステップ７０１Ｂ）。これに代えて、当該X2メッセージは、Dual Connectivityの為に規定されたSeNB Modification Requestメッセージ（e.g., MeNB to SeNB Container）であってもよいし、新たに規定されるX2メッセージ（e.g., SeNB Configuration Requestメッセージ）でもよい。
【００７８】
さらに又はこれに代えて、5G specific eNB６は、New 5Gセルに関するコントロール・プレーン情報を包含するS1APメッセージを、integrated EPC４１（e.g., MME７）または5G specific EPC４２から受信してもよい（ステップ７０２）。当該S1APメッセージは、MME Configuration Transferメッセ―ジ、MME Direct Information Transferメッセージ、又はその他のS1AP メッセージでもよい。ステップ７０３では、5G specific eNB６は、LTE+ eNB５、integrated EPC４１、又は5G specific EPC４２から受信した、New 5Gセルに関するコントロール・プレーン情報（CPメッセージ）を包含するRRC Connection Reconfigurationメッセージを、New 5Gセルで5G UE１に送信する。
【００７９】
図８は、5G specific eNB６がLTE+ eNB５にNew 5Gセルに関するコントロール・プレーン情報（CPメッセージ）を送信する例を示している。ステップ８０１Ａ又は８０１Ｂでは、5G specific eNB６は、New 5Gセルに関するコントロール・プレーン情報（CPメッセージ）を少なくとも包含するX2メッセージをLTE+ eNB５に送信する。当該X2メッセージは、X2AP Message Transferメッセージであってもよい（ステップ８０１Ａ）。これに代えて、当該X2メッセージは、Dual Connectivityの為に規定されたSeNB Modification Requiredメッセージであってもよい（ステップ８０１Ｂ）。
【００８０】
LTE+ eNB５は、当該X2メッセージの受信に応答して、SeNB Modification procedureを開始してもよい。例えば、LTE+ eNB５は、SeNB Modification Requestメッセージ（RRC Container：SCG-ConfigInfoを含む）を5G specific eNB６に送信してもよい（ステップ８０２）。SeNB Modification Requestメッセージの受信に応答して、5G specific eNB６は、SeNB Modification Request Acknowledgeメッセージ（RRC Container：SCG-Configを含む）をLTE+ eNB５に送信してもよい（ステップ８０３）。ステップ８０３では、5G specific eNB６は、5Gセルに関するコントロール・プレーン情報をLTE+ eNB５に送信してもよい。
【００８１】
5G specific eNB６は、New 5Gセルに関するコントロール・プレーン情報を包含するS1APメッセージを、integrated EPC４１（e.g., MME７）または5G specific EPC４２から受信してもよい（ステップ８０４）。なお、5G specific eNB６は、integrated EPC４１または5G specific EPC４２から5Gセルに関するコントロール・プレーン情報を受信したことに応答して、ステップ８０１Ａ又は８０１Ｂを行ってもよい。
【００８２】
ステップ８０５では、5G specific eNB６は、New 5Gセルに関するコントロール・プレーン情報（CPメッセージ）を包含するRRC Connection Reconfigurationメッセージを、New 5Gセルで5G UE１に送信する。
【００８３】
図９は、5G specific eNB６がLTE+ eNB５にNew 5Gセルに関するコントロール・プレーン情報（CPメッセージ）を送信する他の例を示している。ステップ９０１では、5G specific eNB６は、コントロール・プレーン情報を5Gセルにおいて5G UE１から受信する。ステップ９０２では、5G specific eNB６は、5G UE１から受信したコントロール・プレーン情報の少なくとも一部を包含するX2メッセージをLTE+ eNB５に送信する。当該X2メッセージは、例えばX2AP Message Transferメッセージでもよいし、新たに規定されるX2メッセージ（e.g., SeNB Configuration Updateメッセージ）でもよい。なお、5G specific eNB６は、5G UE１からのコントロール・プレーン情報の受信に応答して他の制御情報を生成し、当該他の制御情報をステップ９０２においてLTE+ eNB５に送信してもよい。
【００８４】
さらに、5G specific eNB６は、5G UE１から受信したコントロール・プレーン情報の少なくとも一部を包含するS1APメッセージをintegrated EPC４１（e.g., MME７）または5G specific EPC４２に送信してもよい（ステップ９０３）。当該S1APメッセージは、例えばeNB Configuration Transferメッセージ、eNB Direct Information Transferメッセージ、又はその他のS1APメッセージでもよい。5G specific eNB６は、5G UE１からのコントロール・プレーン情報の受信に応答して他の制御情報を生成し、当該他の制御情報をステップ９０３においてintegrated EPC４１（e.g., MME７）または5G specific EPC４２に送信してもよい。
【００８５】
図１０は、5G UE１及び基地局システムによるCPメッセージの送信動作の一例（処理１０００）を示すフローチャートである。ステップ１００１では、RRCレイヤ（i.e., 統合されたRRCレイヤ４０１又はNew RRCレイヤ５１１）は、RRCメッセージを生成する。当該RRCメッセージは、NASメッセージを運ぶRRCメッセージ（e.g., UL Information Transferメッセージ、DL Information Transferメッセージ）であってもよい。
【００８６】
ステップ１００２では、RRCレイヤは、（ａ）当該RRCメッセージのコンテンツ又は種別、（ｂ）当該RRCメッセージの送信に使用されるシグナリング無線ベアラの種別、（ｃ）当該RRCメッセージの送信要因、又は（ｄ）当該RRCメッセージに包含されるNASメッセージに関連付けられたコアネットワークの種別に応じて、当該RRCメッセージをLTE CG及びNew 5G CGのどちらを介して送信するかを決定する。すでに説明したように、RRCレイヤは、例えば、当該RRCメッセージのコンテンツ又は種別がNew 5G RAT又はNew 5Gセルに関係する場合に、当該RRCメッセージをいずれかのNew 5Gセルを介して送信してもよい。
【００８７】
ステップ１００３では、RRCレイヤは、ステップ１００２で決定されたRRCメッセージ送信のためのセルに対応するPDCPエンティティに当該メッセージを送る。これにより、5G UE１及び基地局システムは、RRCメッセージ又はこれに包含されるNASメッセージをLTE CG及びNew 5G CGのどちらを介して送信するかを制御できる。
【００８８】
＜第２の実施形態＞
本実施形態に係る無線通信ネットワーク及び無線プロトコルスタックの例は、図１〜図６と同様である。本実施形態では、PDCPレイヤ（i.e., 統合されたPDCPレイヤ６０２又はNew PDCPレイヤ５１２）内の各PDCPエンティティによって使用される一時鍵（e.g., KUPenc、KRRCin）を導出（derivation）するための鍵KeNBの選択が説明される。これらの一時鍵は、例えば、ユーザ・プレーン（UP）トラッフィク及びRRCトラフィックの暗号化（ciphering）及び解読（deciphering）のために各PDCPエンティティによって使用される。これらの一時鍵は、5G UE１によって鍵KeNBから導出される。同様に、これらの一時鍵は、integrated eNB２、LTE+ eNB５、又は5G specific eNB６によって鍵KeNBから導出される。
【００８９】
いくつかの実装において、5G UE１及びintegrated eNB２（又はLTE+ eNB５及び5G specific eNB６）は、あるベアラ種別（bearer type）の無線ベアラのデータの暗号化／解読のために第１の鍵KeNBを使用し、他のベアラ種別（bearer type）の無線ベアラのデータの暗号化／解読のために他の第２の鍵sub-KeNBを使用してもよい。第２の鍵sub-KeNBは、Dual Connectivity（DC）でのSCG bearersのために使用される鍵S-KeNBと同様に、第１の鍵KeNBから導出されてもよい。
【００９０】
例えば、図１１に示されるように、5G UE１及びintegrated eNB２（又はLTE+ eNB５及び5G specific eNB６）は、LTEベアラ（図６の無線ベアラ#1）及び統合されたベアラ（図６の無線ベアラ#3）のデータの暗号化／解読のために第１の鍵KeNBを使用し、New 5Gベアラ（図６の無線ベアラ#2）のデータの暗号化／解読のために第２の鍵sub-KeNBを使用してもよい。
【００９１】
例えば、Co-located配置（図１及び図２）の場合、5G UE１及びintegrated eNB２は、RRCメッセージをLTEベアラで送信する場合に第１の鍵KeNBを使用し、RRCメッセージをNew 5Gベアラで送信する場合にも同じ第１の鍵KeNBを使用してもよい。これに対して、non co-located配置（図３）の場合、5G UE１及びLTE+ eNB５は、RRCメッセージをLTEベアラで送信する場合に第１の鍵KeNBを使用し、5G UE１及び5G specific eNB６は、RRCメッセージをNew 5Gベアラで送信する場合に第２の鍵sub-KeNBを使用してもよい。
【００９２】
続いて以下では、上述の複数の実施形態に係る5G UE１、並びにintegrated eNB２、LTE+ eNB５、及び5G specific eNB６の構成例について説明する。図１２は、5G UE１の構成例を示すブロック図である。LTEトランシーバ１２０１は、integrated eNB２（又はLTE+ eNB５）と通信するために、LTE RATのPHYレイヤに関するアナログRF信号処理を行う。LTEトランシーバ１３０１により行われるアナログRF信号処理は、周波数アップコンバージョン、周波数ダウンコンバージョン、及び増幅を含む。LTEトランシーバ１２０１は、アンテナ１２０２及びベースバンドプロセッサ１２０５と結合される。すなわち、LTEトランシーバ１２０１は、変調シンボルデータ（又はOFDMシンボルデータ）をベースバンドプロセッサ１２０５から受信し、送信RF信号を生成し、送信RF信号をアンテナ１２０２に供給する。また、LTEトランシーバ１２０１は、アンテナ１２０２によって受信された受信RF信号に基づいてベースバンド受信信号を生成し、これをベースバンドプロセッサ１２０５に供給する。
【００９３】
New 5Gトランシーバ１２０３は、integrated eNB２（又は5G specific eNB６）と通信するために、New 5G RATのPHYレイヤに関するアナログRF信号処理を行う。New 5Gトランシーバ１２０３は、アンテナ１２０４及びベースバンドプロセッサ１２０５と結合される。
【００９４】
ベースバンドプロセッサ１２０５は、無線通信のためのデジタルベースバンド信号処理（データプレーン処理）とコントロール・プレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロール・プレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及びパケット通信に関するシグナリング）の通信管理を含む。
【００９５】
例えば、LTEおよびLTE-Advancedの場合、ベースバンドプロセッサ１２０５によるデジタルベースバンド信号処理は、Packet Data Convergence Protocol（PDCP）レイヤ、Radio Link Control（RLC）レイヤ、MACレイヤ、およびPHYレイヤの信号処理を含んでもよい。また、ベースバンドプロセッサ１２０５によるコントロール・プレーン処理は、Non-Access Stratum（NAS）プロトコル、RRCプロトコル、及びMAC CEの処理を含んでもよい。
【００９６】
ベースバンドプロセッサ１２０５は、デジタルベースバンド信号処理を行うモデム・プロセッサ（e.g., Digital Signal Processor（DSP））とコントロール・プレーン処理を行うプロトコルスタック・プロセッサ（e.g., Central Processing Unit（CPU）、又はMicro Processing Unit（MPU））を含んでもよい。この場合、コントロール・プレーン処理を行うプロトコルスタック・プロセッサは、後述するアプリケーションプロセッサ１２０６と共通化されてもよい。
【００９７】
アプリケーションプロセッサ１２０６は、CPU、MPU、マイクロプロセッサ、又はプロセッサコアとも呼ばれる。アプリケーションプロセッサ１２０６は、複数のプロセッサ（複数のプロセッサコア）を含んでもよい。アプリケーションプロセッサ１２０６は、メモリ１２０８又は図示されていないメモリから読み出されたシステムソフトウェアプログラム（Operating System（OS））及び様々なアプリケーションプログラム（例えば、メータリングデータ又はセンシングデータを取得する通信アプリケーション）を実行することによって、5G UE１の各種機能を実現する。
【００９８】
いくつかの実装において、図１２に破線（１２０７）で示されているように、ベースバンドプロセッサ１２０５及びアプリケーションプロセッサ１２０６は、１つのチップ上に集積されてもよい。言い換えると、ベースバンドプロセッサ１２０５及びアプリケーションプロセッサ１２０６は、１つのSystem on Chip（SoC）デバイス１２０７として実装されてもよい。SoCデバイスは、システムLarge Scale Integration（LSI）またはチップセットと呼ばれることもある。
【００９９】
メモリ１２０８は、揮発性メモリ若しくは不揮発性メモリ又はこれらの組合せである。メモリ１２０８は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。例えば、メモリ１２０８は、ベースバンドプロセッサ１２０５、アプリケーションプロセッサ１２０６、及びSoC１２０７からアクセス可能な外部メモリデバイスを含んでもよい。メモリ１２０８は、ベースバンドプロセッサ１２０５内、アプリケーションプロセッサ１２０６内、又はSoC１２０７内に集積された内蔵メモリデバイスを含んでもよい。さらに、メモリ１２０８は、Universal Integrated Circuit Card（UICC）内のメモリを含んでもよい。
【０１００】
メモリ１２０８は、上述の複数の実施形態で説明された5G UE１による処理を行うための命令群およびデータを含む１又は複数のソフトウェアモジュール（コンピュータプログラム）１２０９を格納してもよい。いくつかの実装において、ベースバンドプロセッサ１２０５又はアプリケーションプロセッサ１２０６は、当該ソフトウェアモジュール１２０９をメモリ１２０８から読み出して実行することで、上述の実施形態で説明された5G UE１の処理を行うよう構成されてもよい。
【０１０１】
図１３は、上述の実施形態に係るintegrated eNB２の構成例を示すブロック図である。図１３を参照すると、eNB２は、LTEトランシーバ１３０１、New 5Gトランシーバ１３０３、ネットワークインターフェース１３０５、プロセッサ１３０６、及びメモリ１３０７を含む。LTEトランシーバ１３０１は、LTEセルを介して5G UE１と通信するために、LTE RATのPHYレイヤに関するアナログRF信号処理を行う。LTEトランシーバ１３０１は、複数のトランシーバを含んでもよい。LTEトランシーバ１３０１は、アンテナ１３０２及びプロセッサ１３０６と結合される。
【０１０２】
New 5Gトランシーバ１３０３は、New 5Gセルを介して5G UE１と通信するために、New 5G RATのPHYレイヤに関するアナログRF信号処理を行う。New 5Gトランシーバ１３０３は、アンテナ１３０４及びベースバンドプロセッサ１３０６と結合される。
【０１０３】
ネットワークインターフェース１３０５は、integrated EPC４１又は5G specific EPC４２内ネットワークノード（e.g., Mobility Management Entity (MME)およびServing Gateway (S-GW)）、及び他のeNBsと通信するために使用される。ネットワークインターフェース１３０５は、例えば、IEEE 802.3 seriesに準拠したネットワークインターフェースカード（NIC）を含んでもよい。
【０１０４】
プロセッサ１３０６は、無線通信のためのデジタルベースバンド信号処理（データプレーン処理）とコントロール・プレーン処理を行う。例えば、LTEおよびLTE-Advancedの場合、プロセッサ１３０６によるデジタルベースバンド信号処理は、PDCPレイヤ、RLCレイヤ、MACレイヤ、およびPHYレイヤの信号処理を含んでもよい。また、プロセッサ１３０６によるコントロール・プレーン処理は、S1プロトコル、RRCプロトコル、及びMAC CEの処理を含んでもよい。
【０１０５】
プロセッサ１３０６は、複数のプロセッサを含んでもよい。例えば、プロセッサ１３０６は、デジタルベースバンド信号処理を行うモデム・プロセッサ（e.g., DSP）とコントロール・プレーン処理を行うプロトコルスタック・プロセッサ（e.g., CPU又はMPU）を含んでもよい。
【０１０６】
メモリ１３０７は、揮発性メモリ及び不揮発性メモリの組み合わせによって構成される。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ１３０７は、プロセッサ１３０６から離れて配置されたストレージを含んでもよい。この場合、プロセッサ１３０６は、ネットワークインターフェース１３０５又は図示されていないI/Oインタフェースを介してメモリ１３０７にアクセスしてもよい。
【０１０７】
メモリ１３０７は、上述の複数の実施形態で説明されたintegrated eNB２による処理を行うための命令群およびデータを含むソフトウェアモジュール（コンピュータプログラム）１３０８を格納してもよい。いくつかの実装において、プロセッサ１３０６は、当該ソフトウェアモジュール１３０８をメモリ１３０７から読み出して実行することで、上述の実施形態で説明されたintegrated eNB２の処理を行うよう構成されてもよい。
【０１０８】
LTE+ eNB５及び5G specific eNB６の各構成は、図１３に示されたintegrated eNB２の構成と同様であってもよい。ただし、LTE+ eNB５はNew 5Gトランシーバ１３０３を備える必要はなく、5G specific eNB６はLTEトランシーバ１３０１を備える必要はない。
【０１０９】
図１２及び図１３を用いて説明したように、上述の実施形態に係る5G UE１、並びにintegrated eNB２、LTE+ eNB５、及び5G specific eNB６が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１０】
＜その他の実施形態＞
上述の実施形態は、各々独立に実施されてもよいし、適宜組み合わせて実施されてもよい。
【０１１１】
上述の実施形態で説明されたプロトコルスタックは一例であって、LTE RAT及びNew 5G RATのインターワーキングのために他のプロトコルスタックが採用されてよい。いくつかの実装において、既存のLTE/LTE-AdvancedのCarrier Aggregation（CA）若しくはDual Connectivity（DC）のプロトコルスタック、又はこれらを適宜修正したものがLTE RAT及びNew 5G RATのインターワーキングのために採用されてもよい。例えば、co-located配置又はco-located RANでは、統合されたPDCPレイヤ（サブレイヤ）の代わりに、統合されたMACレイヤ（サブレイヤ）が使用されてもよい。この場合、統合されたMACレイヤは、LTE PHYレイヤ及びNew PHYレイヤを制御し、LTEセルとNew 5Gセルの間でCAを行ってもよい。
【０１１２】
上述の実施形態で説明された基地局、基地局システム、Integrated eNB２、LTE+ eNB５、5G specific eNB６、BBU（又はDU）、及びRRH（又はRU）は、無線局又は無線アクセスネットワーク（RAN）ノードと呼ぶことができる。言い換えると、上述の実施形態で説明された基地局、基地局システム、Integrated eNB２、LTE+ eNB５、5G specific eNB６、BBU（DU）、又はRRH（RU）によって行われる処理及び動作は、任意の１又は複数の無線局（RANノード）によって提供されてもよい。
【０１１３】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１１４】
例えば、上記の実施形態の一部又は全部は、以下の付記のようにも記載され得るが、以下には限られない。
【０１１５】
（付記１）
１又は複数の無線局を備え、
前記１又は複数の無線局は、
第１の無線アクセス技術に従う１又は複数の第１のセルと、前記１又は複数の第１のセルに追加して従属的に使用される第２の無線アクセス技術に従う１又は複数の第２のセルを、同時に１つの無線端末に提供するよう構成され、且つ
所定の条件が満たされる場合に、コントロール・プレーン・メッセージを前記１又は複数の第２のセルにおいて前記無線端末に送信又は前記無線端末から受信するよう構成され、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
無線局システム。
【０１１６】
（付記２）
前記所定の条件は、前記コントロール・プレーン・メッセージのコンテンツ又は種別に関し、
前記１又は複数の無線局は、前記コントロール・プレーン・メッセージが前記１又は複数の第２のセルに関する端末測定の前記無線端末への要求又は前記１又は複数の第２のセルに関する前記無線端末からの測定結果の報告を含む場合に、前記コントロール・プレーン・メッセージを前記１又は複数の第２のセルにおいて送信又は受信するよう構成されている、
付記１に記載の無線局システム。
【０１１７】
（付記３）
前記所定の条件は、前記コントロール・プレーン・メッセージのコンテンツ又は種別に関し、
前記１又は複数の無線局は、前記コントロール・プレーン・メッセージが前記第２の無線アクセス技術に関する前記無線端末の端末情報の前記無線端末への要求又は前記無線端末からの前記端末情報の報告を含む場合に、前記コントロール・プレーン・メッセージを前記１又は複数の第２のセルにおいて送信又は受信するよう構成されている、
付記１に記載の無線局システム。
【０１１８】
（付記４）
前記所定の条件は、前記コントロール・プレーン・メッセージのコンテンツ又は種別に関し、
前記１又は複数の無線局は、前記コントロール・プレーン・メッセージが前記１又は複数の第２のセルのためのaccess stratum（AS）のセキュリティ設定情報を含む場合に、前記コントロール・プレーン・メッセージを前記１又は複数の第２のセルにおいて送信するよう構成されている、
付記１に記載の無線局システム。
【０１１９】
（付記５）
前記所定の条件は、前記コントロール・プレーン・メッセージのコンテンツ又は種別に関し、
前記１又は複数の無線局は、前記コントロール・プレーン・メッセージが前記１又は複数の第２のセルのためのaccess stratum（AS）セキュリティのアクティベーションの前記無線端末への要求又は当該要求への前記無線端末からの応答を含む場合に、前記コントロール・プレーン・メッセージを前記１又は複数の第２のセルにおいて送信又は受信するよう構成されている、
付記１に記載の無線局システム。
【０１２０】
（付記６）
前記所定の条件は、前記コントロール・プレーン・メッセージのコンテンツ又は種別に関し、
前記１又は複数の無線局は、前記コントロール・プレーン・メッセージが前記第２の無線アクセス技術に固有の設定情報を含む場合に、前記コントロール・プレーン・メッセージを前記１又は複数の第２のセルにおいて送信するよう構成されている、
付記１に記載の無線局システム。
【０１２１】
（付記７）
前記所定の条件は、前記コントロール・プレーン・メッセージの送信に使用されるシグナリング無線ベアラの種別に関し、
前記１又は複数の無線局は、前記コントロール・プレーン・メッセージが前記第２の無線アクセス技術に関連付けられた特定のシグナリング無線ベアラを介して送信される場合に、前記コントロール・プレーン・メッセージを前記１又は複数の第２のセルにおいて送信又は受信するよう構成されている、
付記１に記載の無線局システム。
【０１２２】
（付記８）
前記所定の条件は、前記コントロール・プレーン・メッセージの送信要因に関し、
前記１又は複数の無線局は、前記コントロール・プレーン・メッセージが前記１又は複数の第２のセルの無線品質の劣化に起因して送信される場合に、前記コントロール・プレーン・メッセージを前記１又は複数の第２のセルにおいて受信するよう構成されている、
付記１に記載の無線局システム。
【０１２３】
（付記９）
前記所定の条件は、前記NASメッセージに関連付けられたコアネットワークの種別に関し、
前記１又は複数の無線局は、前記コアネットワークが前記第２の無線アクセス技術の導入に伴う新たな種別のコアネットワークである場合に、前記NASメッセージを包含する前記コントロール・プレーン・メッセージを前記１又は複数の第２のセルにおいて送信又は受信するよう構成されている、
付記１に記載の無線局システム。
【０１２４】
（付記１０）
前記１又は複数の無線局は、前記第１の無線アクセス技術に従って前記無線端末と通信するためのRadio Link Control（RLC）及びMedium Access Control（MAC）レイヤと、前記第２の無線アクセス技術に従って前記無線端末と通信するためのRadio Link Control（RLC）及びMedium Access Control（MAC）レイヤと、前記２つのRLCレイヤの両方に関連付けられた共通のPacket Data Convergence Protocol（PDCP）レイヤと、前記共通のPDCPレイヤに関連付けられた共通のRRCレイヤを提供するよう構成されている、
付記１〜９のいずれか１項に記載の無線局システム。
【０１２５】
（付記１１）
前記１又は複数の無線局は、前記第１の無線アクセス技術のための第１の無線局、及び前記第２の無線アクセス技術のための第２の無線局を含み、
前記第２の無線局は、前記第２の無線アクセス技術に従って前記無線端末と通信するためのRadio Link Control（RLC）及びMedium Access Control（MAC）レイヤを提供し、
前記第１の無線局は、前記第１の無線アクセス技術に従って前記無線端末と通信するためのRadio Link Control（RLC）及びMedium Access Control（MAC）レイヤ、前記２つのRLCレイヤの両方に関連付けられた共通のPacket Data Convergence Protocol（PDCP）レイヤ、並びに前記共通のPDCPレイヤに関連付けられた共通のRRCレイヤを提供するよう構成されている、
付記１〜９のいずれか１項に記載の無線局システム。
【０１２６】
（付記１２）
前記第１の無線アクセス技術は、LTE及びLTE-Advancedの継続的発展であり、
前記第２の無線アクセス技術は、新たな5G無線アクセス技術である、
付記１〜１１のいずれか１項に記載の無線局システム。
【０１２７】
（付記１３）
１又は複数の無線局を含む無線局システムにおける方法であって、
第１の無線アクセス技術に従う１又は複数の第１のセルと、前記１又は複数の第１のセルに追加して従属的に使用される第２の無線アクセス技術に従う１又は複数の第２のセルを、同時に１つの無線端末に提供すること、及び
所定の条件が満たされる場合に、コントロール・プレーン・メッセージを前記１又は複数の第２のセルにおいて前記無線端末に送信又は前記無線端末から受信すること、
を備え、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
方法。
【０１２８】
（付記１４）
メモリと、
前記メモリに結合された少なくとも１つのプロセッサと、
を備え、
前記少なくとも１つのプロセッサは、
第１の無線アクセス技術に従う１又は複数の第１のセルと、前記１又は複数の第１のセルに追加して従属的に使用される第２の無線アクセス技術に従う１又は複数の第２のセルにおいて同時に１又は複数の無線局を含む無線局システムと通信するよう構成され、且つ
所定の条件が満たされる場合に、コントロール・プレーン・メッセージを前記１又は複数の第２のセルにおいて前記無線局システムに送信又は前記無線局システムから受信するよう構成され、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
無線端末。
【０１２９】
（付記１５）
前記所定の条件は、前記コントロール・プレーン・メッセージのコンテンツ又は種別に関し、
前記少なくとも１つのプロセッサは、前記コントロール・プレーン・メッセージが前記１又は複数の第２のセルに関する端末測定の前記無線端末への要求又は前記１又は複数の第２のセルに関する前記無線端末からの測定結果の報告を含む場合に、前記コントロール・プレーン・メッセージを前記１又は複数の第２のセルにおいて受信又は送信するよう構成されている、
付記１４に記載の無線端末。
【０１３０】
（付記１６）
前記所定の条件は、前記コントロール・プレーン・メッセージのコンテンツ又は種別に関し、
前記少なくとも１つのプロセッサは、前記コントロール・プレーン・メッセージが前記第２の無線アクセス技術に関する前記無線端末の端末情報の前記無線端末への要求又は前記無線端末からの前記端末情報の報告を含む場合に、前記コントロール・プレーン・メッセージを前記１又は複数の第２のセルにおいて受信又は送信するよう構成されている、
付記１４に記載の無線端末。
【０１３１】
（付記１７）
前記所定の条件は、前記コントロール・プレーン・メッセージのコンテンツ又は種別に関し、
前記少なくとも１つのプロセッサは、前記コントロール・プレーン・メッセージが前記１又は複数の第２のセルのためのaccess stratum（AS）のセキュリティ設定情報を含む場合に、前記コントロール・プレーン・メッセージを前記１又は複数の第２のセルにおいて受信するよう構成されている、
付記１４に記載の無線端末。
【０１３２】
（付記１８）
前記所定の条件は、前記コントロール・プレーン・メッセージのコンテンツ又は種別に関し、
前記少なくとも１つのプロセッサは、前記コントロール・プレーン・メッセージが前記１又は複数の第２のセルのためのaccess stratum（AS）セキュリティのアクティベーションの前記無線端末への要求又は当該要求への前記無線端末からの応答を含む場合に、前記コントロール・プレーン・メッセージを前記１又は複数の第２のセルにおいて受信又は送信するよう構成されている、
付記１４に記載の無線端末。
【０１３３】
（付記１９）
前記所定の条件は、前記コントロール・プレーン・メッセージのコンテンツ又は種別に関し、
前記少なくとも１つのプロセッサは、前記コントロール・プレーン・メッセージが前記第２の無線アクセス技術に固有の設定情報を含む場合に、前記コントロール・プレーン・メッセージを前記１又は複数の第２のセルにおいて受信するよう構成されている、
付記１４に記載の無線端末。
【０１３４】
（付記２０）
前記所定の条件は、前記コントロール・プレーン・メッセージの送信に使用されるシグナリング無線ベアラの種別に関し、
前記少なくとも１つのプロセッサは、前記コントロール・プレーン・メッセージが前記第２の無線アクセス技術に関連付けられた特定のシグナリング無線ベアラを介して送信される場合に、前記コントロール・プレーン・メッセージを前記１又は複数の第２のセルにおいて受信又は送信するよう構成されている、
付記１４に記載の無線端末。
【０１３５】
（付記２１）
前記所定の条件は、前記コントロール・プレーン・メッセージの送信要因に関し、
前記少なくとも１つのプロセッサは、前記コントロール・プレーン・メッセージが前記１又は複数の第２のセルの無線品質の劣化に起因して送信される場合に、前記コントロール・プレーン・メッセージを前記１又は複数の第２のセルにおいて送信するよう構成されている、
付記１４に記載の無線端末。
【０１３６】
（付記２２）
前記所定の条件は、前記NASメッセージに関連付けられたコアネットワークの種別に関し、
前記少なくとも１つのプロセッサは、前記コアネットワークが前記第２の無線アクセス技術の導入に伴う新たな種別のコアネットワークである場合に、前記NASメッセージを包含する前記コントロール・プレーン・メッセージを前記１又は複数の第２のセルにおいて受信又は送信するよう構成されている、
付記１４に記載の無線端末。
【０１３７】
（付記２３）
前記少なくとも１つのプロセッサは、前記第１の無線アクセス技術に従って前記無線局システムと通信するためのRadio Link Control（RLC）及びMedium Access Control（MAC）レイヤと、前記第２の無線アクセス技術に従って前記無線局システムと通信するためのRadio Link Control（RLC）及びMedium Access Control（MAC）レイヤと、前記２つのRLCレイヤの両方に関連付けられた共通のPacket Data Convergence Protocol（PDCP）レイヤと、前記共通のPDCPレイヤに関連付けられた共通のRRCレイヤを提供するよう構成されている、
付記１４〜２２のいずれか１項に記載の無線端末。
【０１３８】
（付記２４）
前記第１の無線アクセス技術は、LTE及びLTE-Advancedの継続的発展であり、
前記第２の無線アクセス技術は、新たな5G無線アクセス技術である、
付記１４〜２３のいずれか１項に記載の無線端末。
【０１３９】
（付記２５）
無線端末における方法であって、
第１の無線アクセス技術に従う１又は複数の第１のセルと、前記１又は複数の第１のセルに追加して従属的に使用される第２の無線アクセス技術に従う１又は複数の第２のセルにおいて同時に１又は複数の無線局を含む無線局システムと通信すること、及び
所定の条件が満たされる場合に、コントロール・プレーン・メッセージを前記１又は複数の第２のセルにおいて前記無線局システムに送信又は前記無線局システムから受信すること、
を備え、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
方法。
【０１４０】
（付記２６）
無線端末における方法をコンピュータに行わせるためのプログラムを格納した非一時的なコンピュータ可読媒体であって、
前記方法は、
第１の無線アクセス技術に従う１又は複数の第１のセルと、前記１又は複数の第１のセルに追加して従属的に使用される第２の無線アクセス技術に従う１又は複数の第２のセルにおいて同時に１又は複数の無線局を含む無線局システムと通信すること、及び
所定の条件が満たされる場合に、コントロール・プレーン・メッセージを前記１又は複数の第２のセルにおいて前記無線局システムに送信又は前記無線局システムから受信すること、
を備え、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
非一時的なコンピュータ可読媒体。
【０１４１】
この出願は、２０１６年１月８日に出願された日本出願特願２０１６−００２８７９を基礎とする優先権を主張し、その開示の全てをここに取り込む。
【符号の説明】
【０１４２】
１  無線端末（5G UE）
２  基地局（integrated eNB）
３  RRH
５  LTE+ eNB
６  5G Specific eNB
４１  Integrated EPC
４２  5G specific EPC
１２０１  LTEトランシーバ
１２０３  New 5Gトランシーバ
１２０５  ベースバンドプロセッサ
１２０６  アプリケーションプロセッサ
１２０８  メモリ
１３０１  LTEトランシーバ
１３０３  New 5Gトランシーバ
１３０６  プロセッサ
１３０７  メモリ
【図１】
2017119247.tif 000003
【図２】
2017119247.tif 000004
【図３】
2017119247.tif 000005
【図４】
2017119247.tif 000006
【図５】
2017119247.tif 000007
【図６】
2017119247.tif 000008
【図７】
2017119247.tif 000009
【図８】
2017119247.tif 000010
【図９】
2017119247.tif 000011
【図１０】
2017119247.tif 000012
【図１１】
2017119247.tif 000013
【図１２】
2017119247.tif 000014
【図１３】
2017119247.tif 000015
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
１又は複数の無線局を備え、
前記１又は複数の無線局は、
第１の無線アクセス技術に従う１又は複数の第１のセルと、前記１又は複数の第１のセルに追加して従属的に使用される第２の無線アクセス技術に従う１又は複数の第２のセルを、同時に１つの無線端末に提供するよう構成され、且つ
所定の条件が満たされる場合に、コントロール・プレーン・メッセージを前記１又は複数の第２のセルにおいて前記無線端末に送信又は前記無線端末から受信するよう構成され、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
無線局システム。
【請求項２】
前記所定の条件は、前記コントロール・プレーン・メッセージのコンテンツ又は種別に関し、
前記１又は複数の無線局は、前記コントロール・プレーン・メッセージが前記１又は複数の第２のセルに関する端末測定の前記無線端末への要求又は前記１又は複数の第２のセルに関する前記無線端末からの測定結果の報告を含む場合に、前記コントロール・プレーン・メッセージを前記１又は複数の第２のセルにおいて送信又は受信するよう構成されている、
請求項１に記載の無線局システム。
【請求項３】
前記所定の条件は、前記コントロール・プレーン・メッセージのコンテンツ又は種別に関し、
前記１又は複数の無線局は、前記コントロール・プレーン・メッセージが前記第２の無線アクセス技術に関する前記無線端末の端末情報の前記無線端末への要求又は前記無線端末からの前記端末情報の報告を含む場合に、前記コントロール・プレーン・メッセージを前記１又は複数の第２のセルにおいて送信又は受信するよう構成されている、
請求項１に記載の無線局システム。
【請求項４】
前記所定の条件は、前記コントロール・プレーン・メッセージのコンテンツ又は種別に関し、
前記１又は複数の無線局は、前記コントロール・プレーン・メッセージが前記１又は複数の第２のセルのためのaccess stratum（AS）のセキュリティ設定情報を含む場合に、前記コントロール・プレーン・メッセージを前記１又は複数の第２のセルにおいて送信するよう構成されている、
請求項１に記載の無線局システム。
【請求項５】
前記所定の条件は、前記コントロール・プレーン・メッセージのコンテンツ又は種別に関し、
前記１又は複数の無線局は、前記コントロール・プレーン・メッセージが前記１又は複数の第２のセルのためのaccess stratum（AS）セキュリティのアクティベーションの前記無線端末への要求又は当該要求への前記無線端末からの応答を含む場合に、前記コントロール・プレーン・メッセージを前記１又は複数の第２のセルにおいて送信又は受信するよう構成されている、
請求項１に記載の無線局システム。
【請求項６】
前記所定の条件は、前記コントロール・プレーン・メッセージのコンテンツ又は種別に関し、
前記１又は複数の無線局は、前記コントロール・プレーン・メッセージが前記第２の無線アクセス技術に固有の設定情報を含む場合に、前記コントロール・プレーン・メッセージを前記１又は複数の第２のセルにおいて送信するよう構成されている、
請求項１に記載の無線局システム。
【請求項７】
前記所定の条件は、前記コントロール・プレーン・メッセージの送信に使用されるシグナリング無線ベアラの種別に関し、
前記１又は複数の無線局は、前記コントロール・プレーン・メッセージが前記第２の無線アクセス技術に関連付けられた特定のシグナリング無線ベアラを介して送信される場合に、前記コントロール・プレーン・メッセージを前記１又は複数の第２のセルにおいて送信又は受信するよう構成されている、
請求項１に記載の無線局システム。
【請求項８】
前記所定の条件は、前記コントロール・プレーン・メッセージの送信要因に関し、
前記１又は複数の無線局は、前記コントロール・プレーン・メッセージが前記１又は複数の第２のセルの無線品質の劣化に起因して送信される場合に、前記コントロール・プレーン・メッセージを前記１又は複数の第２のセルにおいて受信するよう構成されている、
請求項１に記載の無線局システム。
【請求項９】
１又は複数の無線局を含む無線局システムにおける方法であって、
第１の無線アクセス技術に従う１又は複数の第１のセルと、前記１又は複数の第１のセルに追加して従属的に使用される第２の無線アクセス技術に従う１又は複数の第２のセルを、同時に１つの無線端末に提供すること、及び
所定の条件が満たされる場合に、コントロール・プレーン・メッセージを前記１又は複数の第２のセルにおいて前記無線端末に送信又は前記無線端末から受信すること、
を備え、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
方法。
【請求項１０】
メモリと、
前記メモリに結合された少なくとも１つのプロセッサと、
を備え、
前記少なくとも１つのプロセッサは、
第１の無線アクセス技術に従う１又は複数の第１のセルと、前記１又は複数の第１のセルに追加して従属的に使用される第２の無線アクセス技術に従う１又は複数の第２のセルにおいて同時に１又は複数の無線局を含む無線局システムと通信するよう構成され、且つ
所定の条件が満たされる場合に、コントロール・プレーン・メッセージを前記１又は複数の第２のセルにおいて前記無線局システムに送信又は前記無線局システムから受信するよう構成され、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
無線端末。
【請求項１１】
前記所定の条件は、前記コントロール・プレーン・メッセージのコンテンツ又は種別に関し、
前記少なくとも１つのプロセッサは、前記コントロール・プレーン・メッセージが前記１又は複数の第２のセルに関する端末測定の前記無線端末への要求又は前記１又は複数の第２のセルに関する前記無線端末からの測定結果の報告を含む場合に、前記コントロール・プレーン・メッセージを前記１又は複数の第２のセルにおいて受信又は送信するよう構成されている、
請求項１０に記載の無線端末。
【請求項１２】
前記所定の条件は、前記コントロール・プレーン・メッセージのコンテンツ又は種別に関し、
前記少なくとも１つのプロセッサは、前記コントロール・プレーン・メッセージが前記第２の無線アクセス技術に関する前記無線端末の端末情報の前記無線端末への要求又は前記無線端末からの前記端末情報の報告を含む場合に、前記コントロール・プレーン・メッセージを前記１又は複数の第２のセルにおいて受信又は送信するよう構成されている、
請求項１０に記載の無線端末。
【請求項１３】
前記所定の条件は、前記コントロール・プレーン・メッセージのコンテンツ又は種別に関し、
前記少なくとも１つのプロセッサは、前記コントロール・プレーン・メッセージが前記第２の無線アクセス技術に固有の設定情報を含む場合に、前記コントロール・プレーン・メッセージを前記１又は複数の第２のセルにおいて受信するよう構成されている、
請求項１０に記載の無線端末。
【請求項１４】
無線端末における方法であって、
第１の無線アクセス技術に従う１又は複数の第１のセルと、前記１又は複数の第１のセルに追加して従属的に使用される第２の無線アクセス技術に従う１又は複数の第２のセルにおいて同時に１又は複数の無線局を含む無線局システムと通信すること、及び
所定の条件が満たされる場合に、コントロール・プレーン・メッセージを前記１又は複数の第２のセルにおいて前記無線局システムに送信又は前記無線局システムから受信すること、
を備え、
前記コントロール・プレーン・メッセージは、non-access stratum（NAS）メッセージ若しくはradio resource control（RRC）メッセージ又はこれら両方を含み、
前記所定の条件は、（ａ）前記コントロール・プレーン・メッセージのコンテンツ又は種別、（ｂ）前記コントロール・プレーン・メッセージの送信に使用されるシグナリング無線ベアラの種別、（ｃ）前記コントロール・プレーン・メッセージの送信要因、及び（ｄ）前記NASメッセージに関連付けられたコアネットワークの種別、のうち少なくとも１つに関する、
方法。
【請求項１５】
前記所定の条件は、前記コントロール・プレーン・メッセージのコンテンツ又は種別に関し、
前記無線局システムに送信又は前記無線局システムから受信することは、前記コントロール・プレーン・メッセージが前記１又は複数の第２のセルに関する端末測定の前記無線端末への要求又は前記１又は複数の第２のセルに関する前記無線端末からの測定結果の報告を含む場合に、前記コントロール・プレーン・メッセージを前記１又は複数の第２のセルにおいて受信又は送信することを含む、
請求項１４に記載の方法。
【国際調査報告】
2017119247.tif 000016
2017119247.tif 000017
2017119247.tif 000018
2017119247.tif 000019